(57)【特許請求の範囲】
【請求項１】
ワイヤレス通信の方法であって、
ユーザ機器（ＵＥ）において事前許可割り当てを受信することと、ここにおいて、前記事前許可割り当ては、前記ＵＥがプリアンブルを送信するために基地局によって前記ＵＥに割り当てられるリソースを示す、
前記事前許可割り当てに基づいて２次コンポーネントキャリア（ＳＣＣ）上でクリアチャネルアセスメント（ＣＣＡ）動作を実行することと、
前記ＣＣＡ動作が成功したとき、前記事前許可割り当てに基づいて前記ＳＣＣ上でプリアンブルを送信することと、前記プリアンブルは前記ＵＥを一意に識別し、前記プリアンブルは、前記事前許可割り当てを発行した基地局に対する前記ＵＥを識別するための初期部分と、帯域占有のための第２の部分とを備え、前記プリアンブルの残りの部分が、１つまたは複数のＷｉＦｉノードに宛てられた通信のためのＷｉＦｉプリアンブルを備える、
前記プリアンブル送信に応答して許可認証を受信することと
を備える、方法。
【請求項２】
前記許可認証が、
前記事前許可割り当ての許可認証、
前記事前許可割り当ての修正、または
送信を中断することの指示
のうちの少なくとも１つを備える、請求項１に記載の方法。
【請求項３】
前記プリアンブルが、競合ベースのキャリア上で送信され、
前記事前許可割り当てが、前記ＳＣＣ内でターゲットサブフレームを備え、
前記ＵＥが、前記事前許可割り当て内で識別された前記ＳＣＣ内で前記プリアンブルを送信する、請求項１に記載の方法。
【請求項４】
前記事前許可割り当てまたは前記許可認証のうちの少なくとも一方が、１次コンポーネントキャリア（ＰＣＣ）上で受信される、請求項１に記載の方法。
【請求項５】
ワイヤレス通信のための装置であって、
ユーザ機器（ＵＥ）において事前許可割り当てを受信するための手段と、ここにおいて、前記事前許可割り当ては、前記ＵＥがプリアンブルを送信するために基地局によって前記ＵＥに割り当てられるリソースを示す、
前記事前許可割り当てに基づいてクリアチャネルアセスメント（ＣＣＡ）動作を実行するための手段と、
前記ＣＣＡ動作が成功したとき、前記事前許可割り当てに基づいてプリアンブルを送信するための手段と、前記プリアンブルは前記ＵＥを一意に識別し、前記プリアンブルは、前記事前許可割り当てを発行した基地局に対する前記ＵＥを識別するための初期部分と、帯域占有のための第２の部分とを備え、前記プリアンブルの残りの部分が、１つまたは複数のＷｉＦｉノードに宛てられた通信のためのＷｉＦｉプリアンブルを備える、
前記プリアンブル送信に応答して許可認証を受信するための手段と
を備える、装置。
【請求項６】
前記許可認証が、
前記事前許可割り当ての許可認証、
前記事前許可割り当ての修正、または
送信を中断することの指示
のうちの少なくとも１つを備える、請求項５に記載の装置。
【請求項７】
前記事前許可割り当てが前記ＳＣＣ内でターゲットサブフレームを備え、前記プリアンブルを送信するための前記手段が、前記事前許可割り当て内で識別された前記ＳＣＣ内で前記プリアンブルを送信するように構成される、請求項５に記載の装置。
【請求項８】
前記事前許可割り当てまたは前記許可認証のうちの少なくとも一方が、１次コンポーネントキャリア（ＰＣＣ）上で受信される、請求項５に記載の装置。
【請求項９】
ワイヤレス通信の方法であって、
ユーザ機器（ＵＥ）のセットに１つまたは複数の事前許可割り当てを送信することと、前記セットは１つまたは複数のＵＥを含み、各事前許可割り当ては、プリアンブルを送信するために対応するＵＥに割り当てられるリソースを示す、
前記１つまたは複数の事前許可割り当ての前記送信に応答して競合ベースのキャリア上でプリアンブル送信を検出することと、ここにおいて、前記プリアンブルは、前記事前許可割り当てを発行した基地局に対する前記ＵＥを識別するための初期部分と、帯域占有のための第２の部分とを備え、前記プリアンブルの残りの部分が、１つまたは複数のＷｉＦｉノードに宛てられた通信のためのＷｉＦｉプリアンブルを備える、
前記検出された１つまたは複数のプリアンブル送信に応答して１つまたは複数の許可認証割り当てを送信することと
を備える、方法。
【請求項１０】
前記１つまたは複数の事前許可割り当てを送信することが、同じリソースに対する割り当てを有する複数のＵＥに、複数の事前許可割り当てを送信することを含み、
前記１つまたは複数のプリアンブル送信を検出することが、前記送信された事前許可割り当てに応答して複数のプリアンブル送信を検出することを含み、各プリアンブルが、前記ＵＥのうちの１つを一意に識別し、
プリアンブル送信が検出されたＵＥに対する前記事前許可割り当ての修正を決定することをさらに備える、請求項９に記載の方法。
【請求項１１】
前記事前許可割り当ての前記修正を決定することが、
前記ＵＥが送信を継続すべきであることを示す許可認証を受信するために少なくとも１つのＵＥを決定することと、
送信を停止することの指示を受信すべきプリアンブルが受信された他のＵＥを決定することと
を含む、請求項１０に記載の方法。
【請求項１２】
前記許可認証が、前記事前許可割り当ての修正を備える、請求項１１に記載の方法。
【請求項１３】
前記１つまたは複数の事前許可割り当てまたは前記１つまたは複数の許可認証割り当てのうちの少なくとも一方が、１次コンポーネントキャリア（ＰＣＣ）上で送信される、請求項９〜１２のうちのいずれか一項に記載の方法。
【請求項１４】
ワイヤレス通信のための装置であって、
ユーザ機器（ＵＥ）のセットに１つまたは複数の事前許可割り当てを送信するための手段と、前記セットは１つまたは複数のＵＥを含み、前記事前許可割り当ては、前記ＵＥがプリアンブルを送信するために基地局によって前記ＵＥに割り当てられるリソースを示す、
前記１つまたは複数の事前許可割り当ての前記送信に応答して競合ベースのキャリア上でプリアンブル送信を検出するための手段と、ここにおいて、前記プリアンブルは、前記事前許可割り当てを発行した基地局に対する前記ＵＥを識別するための初期部分と、帯域占有のための第２の部分とを備え、前記プリアンブルの残りの部分が、１つまたは複数のＷｉＦｉノードに宛てられた通信のためのＷｉＦｉプリアンブルを備える、
前記検出された１つまたは複数のプリアンブル送信に応答して１つまたは複数の許可認証割り当てを送信するための手段と
を備える、装置。
【請求項１５】
コンピュータシステムに請求項１〜４および９〜１３のうちのいずれか一項に記載の方法を実行させるためのコンピュータ実行可能コードを記憶したコンピュータ可読媒体。
【発明の詳細な説明】
【技術分野】
【０００１】
関連出願の相互参照
[0001]本出願は、その全体が参照により本明細書に明確に組み込まれる、２０１５年３月２３日に出願された「ＵＰＬＩＮＫ  ＴＲＡＮＳＭＩＳＳＩＯＮ  ＣＯＮＴＲＯＬ  ＷＩＴＨ  ＣＬＥＡＲ  ＣＨＡＮＮＥＬ  ＡＳＳＥＳＳＭＥＮＴ」と題する米国仮出願第６２／１３７，００８号、および２０１６年３月９日に出願された「ＵＰＬＩＮＫ  ＴＲＡＮＳＭＩＳＳＩＯＮ  ＣＯＮＴＲＯＬ  ＷＩＴＨ  ＣＬＥＡＲ  ＣＨＡＮＮＥＬ  ＡＳＳＥＳＳＭＥＮＴ」と題する米国特許出願第１５／０６４，８３２号の利益を主張する。
【０００２】
[0002]本開示の態様は、一般にワイヤレス通信システムに関し、より詳細には、競合ベースの共有周波数スペクトルを用いたワイヤレス通信ネットワークにおけるクリアチャネルアセスメントを用いるアップリンク送信制御に関する。
【背景技術】
【０００３】
[0003]ワイヤレス通信システムは、電話、ビデオ、データ、メッセージング、およびブロードキャストなど、様々な電気通信サービスを提供するために広く展開されている。通常のワイヤレス通信システムは、利用可能なシステムリソースを共有することによって複数のユーザとの通信をサポートすることが可能な多元接続技術を採用する場合がある。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]いくつかの通信モードは、セルラーネットワークの競合ベースの共有無線周波数スペクトル帯域上での、または異なる無線周波数スペクトル帯域（たとえば、認可無線周波数スペクトル帯域または無認可無線周波数スペクトル帯域）上での基地局とＵＥとの間の通信を可能にし得る。認可無線周波数スペクトル帯域を使用するセルラーネットワークにおいて増加しているデータトラフィックとともに、無認可無線周波数スペクトル帯域への少なくとも一部のデータトラフィックのオフローディングが、拡張されたデータ伝送容量のための機会をセルラー事業者に提供し得る。無認可無線周波数スペクトル帯域はまた、認可無線周波数スペクトル帯域へのアクセスが利用可能でないエリアにサービスを提供し得る。
【０００６】
[0006]競合ベースの共有無線周波数スペクトル帯域へのアクセスを獲得し、その帯域上で通信するより前に、基地局またはＵＥは、共有無線周波数スペクトル帯域へのアクセスを求めて競合するために、リッスンビフォアトーク（ＬＢＴ：listen before talk）手順を実行し得る。ＬＢＴ手順は、競合ベースの共有無線周波数スペクトル帯域のチャネルが利用可能であるかどうかを決定するために、クリアチャネルアセスメント（ＣＣＡ：clear channel assessment）手順を実行することを含み得る。競合ベースの共有無線周波数スペクトル帯域のチャネルが利用可能であると決定されたとき、チャネルを予約するためにチャネル使用ビーコン信号（ＣＵＢＳ：channel usage beacon signal）など、チャネル予約信号が送信され得る。
【発明の概要】
【０００７】
[0007]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
[0008]ワイヤレス通信システムは、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、層、チャネルなどと呼ばれることもある。ワイヤレス通信システムは、非競合の認可無線周波数スペクトル帯域（たとえば、ＬＴＥ（登録商標）／ＬＴＥ−Ａ通信のために使用可能な認可無線周波数スペクトル帯域など、無線周波数スペクトル帯域が特定の使用のために特定のユーザに認可されているので、送信装置がアクセスを求めて競合することのない無線周波数スペクトル帯域）上で、および／または競合ベースの共有無線周波数スペクトル帯域（たとえば、無線周波数スペクトル帯域がＷｉＦｉ（登録商標）使用などの無認可使用のために利用可能であるので、送信装置がアクセスを求めて競合する必要があり得る無認可無線周波数スペクトル帯域）上で動作をサポートし得る。
【０００９】
[0009]１つのキャリアは、認可無線周波数スペクトル上で動作するコンポーネントキャリアであり得る１次コンポーネントキャリア（ＰＣＣ）であり得る。したがって、ＰＣＣは、アクセスを求めて競合するための送信装置を必要とすることなく動作し得、その理由は、無線周波数スペクトル帯域は、ＬＴＥ／ＬＴＥ−Ａ通信のために使用可能な認可無線周波数スペクトル帯域のように、特定の使用のために特定のユーザに認可されているからである。
【００１０】
[0010]また、少なくとも１つの２次コンポーネントキャリア（ＳＣＣ）が提供され得る。ＳＣＣは、競合ベースの共有無線周波数スペクトル帯域（たとえば、無線周波数スペクトル帯域がＷｉＦｉ使用などの無認可使用のために利用可能であるので送信装置がアクセスを求めて競合する必要があり得る、無認可無線周波数スペクトル帯域）を動作させ得る。競合手順は、ＣＣＡ手順または拡張ＣＣＡ（ｅＣＣＡ）手順などのＬＢＴ手順であり得る。
【００１１】
[0011]ＣＡモードでは、ＳＣＣはＰＣＣと関連付けられ得る。スタンドアロン動作では、ワイヤレス通信は、ＰＣＣ上で情報を送信または受信することなく、単独の（alone）ＳＣＣ上で実行され得る。
【００１２】
[0012]スタンドアロンモードであるかＣＡモードであるかにかかわらず、競合ベースのキャリア（contention based carrier）の使用は、リソースの浪費とＵＥの非効率的なスケジューリングとを伴う場合がある。この非効率は、ＣＣＡに合格しない（do not pass）ＵＥに対してリソースを予約し、予約されたリソースが未使用になるのを許容することによって引き起こされる。
【００１３】
[0013]たとえば、ＳＣＣに対するＵＬ許可を受信すると、ＵＥは、データを送信するためにＣＣＡ／ｅＣＣＡを実行しなければならない。ＵＥは、ＣＣＡ／ｅＣＣＡに合格しないと、ＵＥを対象とするリソースの浪費をもたらす。この問題に対する１つの解決策は、一部分のＵＥはＣＣＡ／ｅＣＣＡに失敗する可能性があり、別の部分のＵＥはＣＣＡ／ｅＣＣＡに合格し得ることを理解し、ｅＮＢが同じリソースに対して複数のＵＥを割り当てることである。しかしながら、これは、複数のＵＥが重複するリソース上で送信することをもたらし得る。
【００１４】
[0014]リソースを浪費することを回避するために、ｅＮＢは、ＣＣＡ／ｅＣＣＡに先立ってＵＥにリソースを事前に割り当て得る。ＵＥがＣＣＡ／ｅＣＣＡに合格したとの認証をｅＮＢが受信すると、ｅＮＢは、ＵＥに許可認証（grant confirmation）を送る。許可認証は、ｅＮＢがリソースを複数のＵＥに事前に割り当て、次いで、どのＵＥがリソースを使用し得るかを確認した後にリソースを許可することができるように、事前に割り当てられたリソースを調整し得る。また、これは、ｅＮＢが、ＣＣＡ／ｅＣＣＡに合格しないＵＥにリソースを許可することを回避することを可能にし、同時にｅＮＢが、ＣＣＡ／ｅＣＣＡに合格し得る両ＵＥに重複するリソースを許可することを回避することを可能にする。
【００１５】
[0015]本開示の態様では、方法、コンピュータプログラム製品、および装置が、提供される。装置は、ＵＥにおいて事前許可割り当てを受信し、事前許可割り当てに基づいて２次コンポーネントキャリア（ＳＣＣ）上でクリアチャネルアセスメント（ＣＡＡ）動作を実行し、ＣＣＡ動作が成功したときに事前許可割り当てに基づいてＳＣＣ上でプリアンブルを送信し、そのプリアンブルはＵＥを一意に識別する、プリアンブル送信に応答して許可認証を受信する。
【００１６】
[0016]本開示の別の態様では、方法、コンピュータプログラム製品、および装置が提供される。装置は、１つまたは複数の事前許可割り当てをＵＥのセットに送信し、そのセットは１つまたは複数のＵＥを含む。装置は、１つまたは複数の事前許可割り当ての送信に応答して競合ベースのキャリア上で１つまたは複数のプリアンブル送信を検出し、検出された１つまたは複数のプリアンブル送信に応答して１つまたは複数の許可認証割り当てを送信する。
【００１７】
[0017]上記および関係する目的を達成するために、１つまたは複数の態様は、以下で十分に記載され、特に特許請求の範囲内で指摘される特徴を備える。以下の説明および添付の図面は、１つまたは複数の態様のいくつかの例示的な特徴を詳細に記載する。しかしながら、これらの特徴は、様々な態様の原理が採用され得る様々な方法のうちのほんのいくつかを示すものであり、この説明は、すべてのそのような態様およびそれらの均等物を含むものとする。
【００１８】
[0018]以下の図面を参照することにより、本開示の本質および利点のより一層の理解が実現され得る。添付の図では、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００１９】
【図１】[0019]様々な実施形態による、ワイヤレス通信システムの一例を示す図。
【図２Ａ】[0020]様々な実施形態による、無認可スペクトルの中でＬＴＥを使用するための展開シナリオの例を示す図。
【図２Ｂ】[0021]様々な実施形態による、無認可スペクトルの中でＬＴＥを使用するための展開シナリオの別の例を示す図。
【図３】[0022]様々な実施形態による、認可および無認可スペクトル中でＬＴＥをコンカレントに使用するときのキャリアアグリゲーションの一例を示す図。
【図４】[0023]本開示の態様による、競合ベースの共有無線周波数スペクトル帯域へのアクセスを求めて競合するとき、送信装置によって実行されるＣＣＡ手順の一例を示す図。
【図５】[0024]本開示の様々な態様による、競合ベースの共有無線周波数スペクトル帯域にアクセスするために競合するとき、送信装置によって実行される拡張ＣＣＡ（ＥＣＣＡ）手順の一例を示す図。
【図６】[0025]図１の複数の基地局／ｅＮＢのうちの１つであり得る基地局／ｅＮＢおよび複数のＵＥのうちの１つであり得るＵＥの設計のブロック図。
【図７】[0026]本開示の様々な態様による、事前許可およびプリアンブル送信を示すブロック図。
【図８】[0027]本開示の様々な態様による、ワイヤレス通信の方法のフローチャート。
【図９】[0028]本開示の様々な態様による、ワイヤレス通信の方法のフローチャート。
【図１０】[0029]例示的な装置中の異なる手段／構成要素間のデータフローを示す概念（conceptual）データフロー図。
【図１１】[0030]処理システムを採用する装置のためのハードウェア実装形態の一例を示す図。
【図１２】[0031]例示的な装置中の異なる手段／構成要素間のデータフローを示す概念データフロー図。
【図１３】[0032]処理システムを採用する装置のためのハードウェア実装形態の一例を示す図。
【発明を実施するための形態】
【００２０】
[0033]添付の図面に関して以下に記載される発明を実施するための形態は、様々な構成を説明するものであり、本明細書で説明する概念が実施され得る構成のみを表すものではない。発明を実施するための形態は、様々な概念の完全な理解を提供する目的で、具体的な詳細を含む。しかしながら、これらの概念がこれらの具体的な詳細なしに実践され得ることは、当業者に明らかであろう。場合によっては、そのような概念を曖昧にすることを回避するために、よく知られている構造および構成要素がブロック図の形態で示される。
【００２１】
[0034]ここで、様々な装置および方法を参照しながら電気通信システムのいくつかの態様が提示される。これらの装置および方法について、以下の発明を実施するための形態において説明し、（「要素」と総称される）様々なブロック、構成要素、回路、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課される設計制約に依存する。
【００２２】
[0035]例として、要素、または要素の任意の部分、または要素の任意の組合せは、１つまたは複数のプロセッサを含む「処理システム」として実装される場合がある。プロセッサの例には、マイクロプロセッサ、マイクロコントローラ、グラフィックス処理ユニット（ＧＰＵ）、中央処理装置（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって記載される様々な機能を実施するように構成された他の適切なハードウェアが含まれる。処理システム内の１つまたは複数のプロセッサは、ソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２３】
[0036]したがって、１つまたは複数の例示的な実施形態では、記載される機能は、ハードウェア、ソフトウェア、またはそれらの任意の組合せで実装され得る。ソフトウェアで実装される場合、機能は、コンピュータ可読媒体上に記憶されるか、またはコンピュータ可読媒体上の１つもしくは複数の命令もしくはコードとして符号化され得る。コンピュータ可読媒体はコンピュータ記憶媒体を含む。記憶媒体は、コンピュータがアクセスできる任意の利用可能な媒体であってもよい。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述されたタイプのコンピュータ可読媒体の組合せ、またはコンピュータによってアクセスされ得る、命令もしくはデータ構造の形態のコンピュータ実行可能コードを記憶するために使用され得る任意の他の媒体を備えることができる。
【００２４】
[0037]無認可無線周波数スペクトル帯域がワイヤレス通信システム上での競合ベースの通信の少なくとも一部分のために使用される技法について説明する。いくつかの例では、競合ベースの共有無線周波数スペクトル帯域は、ロングタームエボリューション（ＬＴＥ）通信またはＬＴＥアドバンスト（ＬＴＥ−Ａ）通信のために使用され得る。競合ベースの無線周波数スペクトル帯域は、非競合認可無線周波数スペクトル帯域と組み合わせて、またはそれとは無関係に使用され得る。いくつかの例では、競合ベースの無線周波数スペクトル帯域は、無線周波数スペクトル帯域が、少なくとも部分的に、ＷｉＦｉ使用などの無認可使用のために利用可能であるので、デバイスもまたアクセスを求めて競合する必要があることがある無線周波数スペクトル帯域であり得る。
【００２５】
[0038]認可無線周波数スペクトル帯域を使用するセルラーネットワークにおけるデータトラフィックの増加とともに、無認可帯域内などの競合ベースの共有無線周波数スペクトル帯域への少なくとも一部のデータトラフィックのオフロードは、セルラー事業者（たとえば、公衆陸上移動体ネットワーク（ＰＬＭＮ）またはＬＴＥ／ＬＴＥ−Ａネットワークなどのセルラーネットワークを定義する基地局の協調させられたセットの事業者）にデータ送信容量の増強のための機会を与え得る。上述のように、無認可スペクトルなどの競合ベースの共有無線周波数スペクトル帯域上で通信する前に、デバイスは、共有無線周波数スペクトル帯域へのアクセスを獲得するためにＬＢＴ手順を実行し得る。そのようなＬＢＴ手順は、無認可無線周波数スペクトル帯域のチャネルが利用可能であるかどうかを決定するために、ＣＣＡ手順（または拡張ＣＣＡ手順（ｅＣＣＡ））を実行することを含み得る。競合ベースの無線周波数スペクトル帯域のチャネルが利用可能であると決定されたとき、チャネル予約信号（たとえば、ＣＵＢＳ）が、チャネルを予約するために送信され得る。チャネルが利用可能ではないと決定されると、ＣＣＡ手順（または、拡張ＣＣＡ手順）が、もっと後の時間においてチャネルに対して再び実行され得る。
【００２６】
[0039]基地局および／またはＵＥが競合ベースの共有無線周波数スペクトル帯域上で送信可能な複数のアンテナポートを含むとき、異なるアンテナポートからの送信は、送信された信号間の相関によって互に干渉する場合がある。競合ベースの共有無線周波数スペクトル帯域のチャネルを予約するために使用されるチャネル予約信号の場合、送信された信号間の相関による干渉の低減は、チャネルを予約するために良好な検出能力を与えるため、ならびにチャネルを不用意に予約することになる誤検出（false detection）を防止するため、および他のデバイスがそのチャネルを使用するのを防止するために重要であり得る。異なるアンテナからの信号の相互相関または単一のアンテナからの信号の自己相関によるそのような干渉を低減するために、基地局またはＵＥは、チャネル予約信号のシーケンスを送信するアンテナポートと関連付けられたアンテナポート識別子に少なくとも部分的に基づいてシーケンスを生成し得る。このようにして、チャネル予約信号の相関が低減され、それによって信号送信の検出能力を改善し、競合ベースの共有無線周波数スペクトル帯域のチャネルのより効果的でより正確な予約をもたらすことができる。
【００２７】
[0040]言い換えれば、無認可無線周波数スペクトル帯域のチャネルを予約するために使用されるチャネル予約信号の場合、チャネル予約信号は、チャネル予約が、共有無線周波数スペクトル帯域へのアクセスを試行している他のデバイスによって容易に検出され得るように、誤認警報を低減するために良好な検出性を伴って構成されるべきである。したがって、チャネル予約信号シーケンスは良好な自己相関特性と、近隣基地局からのシーケンスとの良好な相互相関特性とを有するべきである。たとえば、１次同期信号（ＰＳＳ）、２次同期信号（ＳＳＳ）および／またはチャネル状態情報基準信号（ＣＳＩ−ＲＳ）は、良好な自己相関特性または競合ベースの共有無線周波数スペクトル帯域内の異なる基地局間の良好な相互相関特性を有さない場合がある。したがって、チャネル予約信号シーケンスは、良好な自己相関および相互相関の特性を与えるために、アンテナポート識別子に少なくとも部分的に基づいて構成されるべきである。
【００２８】
[0041]以下の説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を、省略、置換、または追加し得る。たとえば、説明される方法は、説明される順序とは異なる順序で実行され得、様々なステップが追加され、省略され、または組み合わされ得る。また、いくつかの例に関して説明される特徴は、他の例では組み合わされ得る。
【００２９】
[0042]図１は、本開示の様々な態様による、例示的なワイヤレス通信システム１００の図である。ワイヤレス通信システム１００は、基地局１０５と、ＵＥ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ２など）を介して他の基地局１０５と直接または間接的に（たとえば、コアネットワーク１３０を通じて）通信し得る。
【００３０】
[0043]基地局１０５は、１つまたは複数の基地局アンテナを介してＵＥ１１５とワイヤレスに通信することができる。基地局１０５サイトのそれぞれは、それぞれの地理的カバレージエリア１１０の通信カバレージを提供することができる。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３１】
[0044]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、状況に応じて、基地局、基地局に関連付けられたキャリアもしくはコンポーネントキャリア、またはキャリアもしくは基地局のカバレージエリア（たとえば、セクタなど）を記述するために使用され得る３ＧＰＰ（登録商標）用語である。
【００３２】
[0045]マクロセルは、比較的大きい地理的エリア（たとえば、半径数キロメートル）をカバーし得、ネットワーク事業者のサービスに加入しているＵＥによる無制限アクセスを可能にし得る。スモールセルは、マクロセルと比較して、同じまたは異なる（たとえば、認可、無認可などの）無線周波数スペクトル帯域内でマクロセルとして動作し得る低電力基地局であり得る。スモールセルは、様々な例によると、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルも、比較的小さい地理的エリア（たとえば、自宅）をカバーし得、フェムトセルとの関連付けを有するＵＥ（たとえば、限定加入者グループ（ＣＳＧ：closed subscriber group）の中のＵＥ、自宅の中のユーザ向けのＵＥなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００３３】
[0046]ワイヤレス通信システム１００は、同期動作または非同期動作をサポートしてもよい。同期動作の場合、基地局は同様のフレームタイミングを有し得、異なる基地局からの送信は時間的にほぼ整合され得る。非同期動作の場合、基地局は、異なるフレームタイミングを有し得、異なる基地局からの送信は、時間的に整合されない場合がある。本明細書で説明する技法は、同期動作または非同期動作のいずれかのために使われ得る。
【００３４】
[0047]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤが、論理チャネルを介して通信するためにパケットセグメンテーションおよびリアセンブリを実施し得る。媒体アクセス制御（ＭＡＣ）レイヤが、優先度処理と、トランスポートチャネルへの論理チャネルの多重化とを実施し得る。ＭＡＣレイヤはまた、ＭＡＣレイヤにおける再送信を行ってリンク効率を改善するために、ハイブリッドＡＲＱ（ＨＡＲＱ）を使用し得る。制御プレーンでは、無線リソース制御（ＲＲＣ）プロトコルレイヤは、ユーザプレーンデータのために無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは、物理チャネルにマッピングされ得る。
【００３５】
[0048]ＵＥ１１５は、ワイヤレス通信システム１００全体にわたって分散されてよく、各ＵＥ１１５は、固定式または移動式であってよい。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３６】
[0049]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ：physical uplink control channel）または拡張ＰＵＣＣＨ（ｅＰＵＣＣＨ））を介して送信され得る。アップリンク制御情報は、たとえば、ダウンリンク送信の肯定応答もしくは否定応答、またはチャネル状態情報を含み得る。アップリンク送信はデータの送信をも含み得、データは、物理アップリンク共有チャネル（ＰＵＳＣＨ）または拡張ＰＵＳＣＨ（ｅＰＵＳＣＨ）を介して送信され得る。また、アップリンク送信は、サウンディング基準信号（ＳＲＳ：sounding reference signal）または拡張ＳＲＳ（ｅＳＲＳ）、（たとえば、デュアル接続性モード、または図２Ａおよび図２Ｂを参照しながら説明されるスタンドアロンモードでの）物理ランダムアクセスチャネル（ＰＲＡＣＨ：physical random access channel）または拡張ＰＲＡＣＨ（ｅＰＲＡＣＨ）、あるいは（たとえば、図２Ａおよび図２Ｂを参照しながら説明されるスタンドアロンモードでの）スケジューリング要求（ＳＲ：scheduling request）または拡張ＳＲ（ｅＳＲ）の送信を含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００３７】
[0050]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作用のフレーム構造（たとえば、フレーム構造タイプ１）およびＴＤＤ動作用のフレーム構造（たとえば、フレーム構造タイプ２）が定義され得る。
【００３８】
[0051]ワイヤレス通信システム１００のいくつかの態様では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３９】
[0052]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書で互換的に使用され得る。ＵＥ１１５は、キャリアアグリゲーションのために、複数のダウンリンクＣＣおよび１つまたは複数のアップリンクＣＣを用いて構成され得る。キャリアアグリゲーションは、ＦＤＤコンポーネントキャリアとＴＤＤコンポーネントキャリアの両方を用いて使用され得る。
【００４０】
[0053]ワイヤレス通信システム１００は、同じくまたは代替的に、非競合認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または競合ベースの共有無線周波数スペクトル帯域（たとえば、無線周波数スペクトル帯域が、ＷｉＦｉ使用など、無認可使用のために利用可能であるので、送信装置がそれのためにアクセスを求めて競合する必要があり得る、無認可無線周波数スペクトル帯域）上での動作をサポートし得る。競合ベースの共有無線周波数スペクトル帯域へのアクセスの争いに勝つと、送信装置（たとえば、基地局１０５またはＵＥ１１５）は、無認可無線周波数スペクトル帯域上で１つまたは複数のチャネル予約信号（たとえば、１つまたは複数のＣＵＢＳ）を送信し得る。チャネル予約信号は、検出可能なエネルギーを無認可無線周波数スペクトル帯域上に供給することによって、無認可無線周波数スペクトルを予約するように働き得る。チャネル予約信号はまた、送信装置および／または送信アンテナを識別するように働き、あるいは送信装置と受信装置とを同期させるように働き得る。いくつかの例では、チャネル予約信号送信は、シンボル期間境界（たとえば、ＯＦＤＭシンボル期間境界）において開始し得る。他の例では、ＣＵＢＳ送信はシンボル期間境界の間に開始し得る。
【００４１】
[0054]図１に示されている構成要素の数および構成は、一例として与えられている。実際には、ワイヤレス通信システム１００は、図１に示されているもの以外に、追加のデバイス、より少数のデバイス、異なるデバイス、または別様に構成されたデバイスを含み得る。追加または代替として、ワイヤレス通信システム１００のデバイスのセット（たとえば、１つまたは複数のデバイス）は、ワイヤレス通信システム１００のデバイスの別のセットによって実行されるものとして説明される１つまたは複数の機能を実行し得る。
【００４２】
[0055]次に図２Ａを参照すると、図２００は、補足ダウンリンクモード（たとえば、ライセンス補助アクセス（ＬＡＡ）モード）の例と、競合ベースの共有スペクトルに拡張されたＬＴＥ／ＬＴＥ−ＡをサポートするＬＴＥネットワークのためのキャリアアグリゲーションモードの例とを示している。図２００は、図１のシステム１００の部分の一例とすることができる。その上、基地局１０５−ａは図１の基地局１０５の一例であり得、ＵＥ１１５−ａは図１のＵＥ１１５の例であり得る。
【００４３】
[0056]図２００中の補足ダウンリンクモード（たとえば、ＬＡＡモード）の例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連付けられる。基地局１０５−ａは、ＯＦＤＭＡ通信信号を同じＵＥ１１５−ａに双方向リンク２１０を使用して送信し得、ＳＣ−ＦＤＭＡ通信信号をそのＵＥ１１５−ａから双方向リンク２１０を使用して受信し得る。双方向リンク２１０は認可スペクトル中の周波数Ｆ４に関連付けられる。無認可スペクトル中のダウンリンク２０５および認可スペクトル中の双方向リンク２１０は、コンカレントに動作し得る。ダウンリンク２０５は、基地局１０５−ａに対してダウンリンク容量オフロードを提供し得る。いくつかの実施形態では、ダウンリンク２０５は、ユニキャストサービス（たとえば、１つのＵＥにアドレス指定される）サービスまたはマルチキャストサービス（たとえば、いくつかのＵＥにアドレス指定される）に使用され得る。このシナリオは、認可スペクトルを使用しトラフィックおよび／またはシグナリングの混雑のうちの一部を緩和する（relieve）必要がある、任意のサービスプロバイダ（たとえば、従来のモバイルネットワークオペレータ（ＭＮＯ））に対して生じ得る。
【００４４】
[0057]図２００におけるキャリアアグリゲーションモードの１つの例では、基地局１０５−ａは、ＯＦＤＭＡ通信信号をＵＥ１１５−ａへ双方向リンク２１５を使用して送信し得、ＳＣ−ＦＤＭＡ通信信号を同じＵＥ１１５−ａから双方向リンク２１５を使用して受信し得る。双方向リンク２１５は無認可スペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連付けられる。双方向リンク２１５は、基地局１０５−ａに対してダウンリンクおよびアップリンクの容量オフロードを提供し得る。上記で説明した補助ダウンリンク（たとえば、ＬＡＡモード）のように、このシナリオは、認可スペクトルを使用しトラフィックおよび／またはシグナリングの混雑のうちの一部を緩和する必要がある、任意のサービスプロバイダ（たとえば、ＭＮＯ）に対して生じる場合がある。
【００４５】
[0058]図２００中のキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連付けられる。双方向リンク２２５は、基地局１０５−ａに対してダウンリンクおよびアップリンクの容量オフロードを提供し得る。本例および上記で提供された例は、例示を目的として提示されており、容量オフロードのために競合ベースの共有スペクトルを用いるＬＴＥ／ＬＴＥ−Ａと用いないＬＴＥ／ＬＴＥ−Ａとを組み合わせる他の同様のモードの動作または展開のシナリオがあり得る。
【００４６】
[0059]上記で説明されたように、競合ベースのスペクトルに拡張されたＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、非競合スペクトル上のＬＴＥ  ＰＣＣと競合ベースのスペクトル上のＬＴＥ  ＳＣＣとを使用するブートストラップモード（たとえば、補足ダウンリンク（たとえば、ＬＡＡモード）、キャリアアグリゲーション）を含み得る。
【００４７】
[0060]補助ダウンリンクモードにおいて、競合ベースのスペクトルに拡張されたＬＴＥ／ＬＴＥ−Ａに対する制御は、ＬＴＥアップリンク（たとえば、双方向リンク２１０のアップリンク部）を介して移送され得る。ダウンリンク容量オフロードを提供する理由の１つは、ダウンリンク消費によってデータ需要が大幅に高められるからである。その上、このモードでは、ＵＥは無認可スペクトルの中で送信されないので、規制影響（regulatory impact）がない場合がある。ＵＥ上で送信前受信チェック（ＬＢＴ：listen-before-talk）またはキャリアセンス多重接続（ＣＳＭＡ：carrier sense multiple access）要件を実施する必要はない。しかしながら、ＬＢＴは、たとえば、周期的（たとえば、１０ミリ秒ごと）なＣＣＡおよび／または無線フレーム境界に揃えられたｇｒａｂ−ａｎｄ−ｒｅｌｉｎｑｕｉｓｈメカニズムを使用することによって、基地局（たとえば、ｅＮＢ）上で実施され得る。
【００４８】
[0061]ＣＡモードでは、ＬＴＥ（たとえば、双方向リンク２１０、２２０、および２３０）においてデータおよび制御が通信され得、一方で、競合ベースの共有スペクトルに拡張されたＬＴＥ／ＬＴＥ−Ａ（たとえば、双方向リンク２１５および２２５）においてデータが通信され得る。競合ベースの共有スペクトルに拡張されたＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに該当し得る。
【００４９】
[0062]図２Ｂは、競合ベースの共有スペクトルに拡張されたＬＴＥ／ＬＴＥ−Ａに対するスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの一例であり得、一方、ＵＥ１１５−ｂは、図１のＵＥ１１５および図２ＡのＵＥ１１５−ａの一例であり得る。
【００５０】
[0063]図２００−ａにおけるスタンドアロンモードの一例では、基地局１０５−ｂは、ＯＦＤＭＡ通信信号をＵＥ１１５−ｂへ双方向リンク２４０を使用して送信し得、ＳＣ−ＦＤＭＡ通信信号をＵＥ１１５−ｂから双方向リンク２４０を使用して受信し得る。双方向リンク２４０は、図２Ａに関して上記で説明された競合ベースの共有スペクトル中の周波数Ｆ３に関連付けられる。スタンドアロンモードは、スタジアム内アクセス（たとえば、ユニキャスト、マルチキャスト）などの、非従来型のワイヤレスアクセスシナリオにおいて使用され得る。この動作モードの典型的なサービスプロバイダの一例は、競技場の所有者、ケーブルテレビ会社、イベント主催者、ホテル、企業、および免許帯域を有しない大企業であり得る。これらのサービスプロバイダの場合、スタンドアロンモードのための動作構成は競合ベースのスペクトル上のＰＣＣを使用し得る。その上、ＬＢＴは、基地局とＵＥの両方で実施され得る。
【００５１】
[0064]いくつかの例では、図１、図２Ａもしくは図２Ｂを参照しながら説明された基地局１０５、２０５、もしくは２０５−ａのうちの１つ、または図１、図２Ａもしくは図２Ｂを参照しながら説明されたＵＥ１１５、２１５、２１５−ａ、２１５−ｂ、もしくは２１５−ｃのうちの１つのような送信装置は、競合ベースの共有無線周波数スペクトル帯域のチャネルへの（たとえば、無認可無線周波数スペクトル帯域の物理チャネルへの）アクセスを得るためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州電気通信標準化機構（ＥＴＳＩ：European Telecommunications Standards Institute）（ＥＮ３０１  ８９３）において指定されているＬＢＴプロトコルに少なくとも部分的に基づくＬＢＴプロトコルなど、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）手順などの競合手順（たとえば、ＬＢＴ手順）をいつ実行する必要があるかを示し得る。ＣＣＡ手順の結果は、競合ベースの共有無線周波数スペクトル帯域のチャネルが（ＬＢＴ無線フレームとも呼ばれる）ゲーティング間隔のために利用可能であるか使用中であるかを送信装置に示し得る。チャネルが、対応するＬＢＴ無線フレームに利用可能である（たとえば、使用のために「空いている（clear）」）ことをＣＣＡ手順が示すとき、送信装置は、ＬＢＴ無線フレームの一部または全部の間に競合ベースの共有無線周波数スペクトル帯域のチャネルを予約または使用し得る。チャネルが利用可能ではないこと（たとえば、チャネルが別の送信装置によって使用中であるか、または予約されていること）をＣＣＡ手順が示すとき、送信装置は、ＬＢＴ無線フレームの間にチャネルを使用することを妨げられ得る。
【００５２】
[0065]図２Ａおよび図２Ｂに示されているコンポーネントの数および配置は、例として与えられている。実際には、ワイヤレス通信システム２００は、追加のデバイス、より少数のデバイス、異なるデバイス、または図２Ａおよび図２Ｂに示されているものとは異なるように配置されたデバイスを含み得る。
【００５３】
[0066]図３は、本開示の様々な態様による、無認可無線周波数スペクトル帯域を介したワイヤレス通信３１０の例３００の一例である。いくつかの例では、ＬＢＴ無線フレーム３１５は、１０ミリ秒の持続時間を有し得、いくつかのダウンリンク（Ｄ）サブフレーム３２０、いくつかのアップリンク（Ｕ）サブフレーム３２５、ならびに２つのタイプの特殊サブフレーム、すなわち、Ｓサブフレーム３３０、およびＳ’サブフレーム３３５を含み得る。Ｓサブフレーム３３０は、ダウンリンクサブフレーム３２０とアップリンクサブフレーム３２５との間の遷移をもたらし得、Ｓ’サブフレーム３３５は、アップリンクサブフレーム３２５とダウンリンクサブフレーム３２０との間の遷移と、いくつかの例では、ＬＢＴ無線フレーム間の遷移とをもたらし得る。
【００５４】
[0067]Ｓ’サブフレーム３３５の間に、図１または図２を参照しながら説明された基地局１０５、２０５、または２０５−ａのうちの１つまたは複数のような、１つまたは複数の基地局によって、ワイヤレス通信３１０が生じる競合ベースの共有無線周波数スペクトル帯域のチャネルをある時間期間の間予約するために、正常なダウンリンククリアチャネルアセスメント（ＣＣＡ）手順３４５が実行され得る。基地局によるダウンリンクＣＣＡ手順３４５の成功の後、基地局は、基地局がチャネルを予約したという指示を他の基地局または装置（たとえば、ＵＥ、ＷｉＦｉアクセスポイントなど）に提供するために、チャネル使用ビーコン信号（ＣＵＢＳ）（たとえば、ダウンリンクＣＵＢＳ（Ｄ−ＣＵＢＳ３５０））などのプリアンブルを送信し得る。いくつかの例では、Ｄ−ＣＵＢＳ３５０は、インターリーブされた複数のリソースブロックを使用して送信され得る。この方式でＤ−ＣＵＢＳ３５０を送信することは、Ｄ−ＣＵＢＳ３５０が、競合ベースの共有無線周波数スペクトル帯域の利用可能な周波数帯域幅の少なくともある割合を占有し、１つまたは複数の規制上の要件（たとえば、無認可無線周波数スペクトル帯域を通じた送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ダウンリンクＣＣＡ手順３４５が失敗すると、Ｄ−ＣＵＢＳ３５０が送信されないことがある。
【００５５】
[0068]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間３４０として、いくつかのＵＥによって使用され得る。Ｓ’サブフレーム３３５の第２の部分は、ダウンリンクＣＣＡ手順３４５のために使われ得る。Ｓ’サブフレーム３３５の第３の部分は、Ｄ−ＣＵＢＳ３５０を送信するために競合ベースの共有無線周波数スペクトル帯域のチャネルへのアクセスに対する競合に成功した１つまたは複数の基地局によって使用され得る。
【００５６】
[0069]Ｓサブフレーム３３０中に、アップリンクＣＣＡ手順３６５が、ある時間期間の間、ワイヤレス通信３１０が発生するチャネルを予約するために、図１、図２Ａまたは図２Ｂを参照しながら上記で説明したＵＥ１１５、２１５、２１５−ａ、２１５−ｂ、または２１５−ｃのうちの１つまたは複数など、１つまたは複数のＵＥによって実行され得る。ＵＥによる正常なアップリンクＣＣＡ手順３６５の後、ＵＥは、ＵＥがチャネルを予約したという指示を他のＵＥまたは装置（たとえば、基地局、ＷｉＦｉアクセスポイントなど）に提供するために、アップリンクＣＵＢＳ（Ｕ−ＣＵＢＳ３７０）などのプリアンブルを送信し得る。いくつかの例では、Ｕ−ＣＵＢＳ３７０は、インターリーブされた複数のリソースブロックを使用して送信され得る。この方式でＵ−ＣＵＢＳ３７０を送信することは、Ｕ−ＣＵＢＳ３７０が、競合ベースの無線周波数スペクトル帯域の利用可能な周波数帯域幅の少なくともある割合を占有し、１つまたは複数の規制上の要件（たとえば、競合ベースの無線周波数スペクトル帯域を通じた送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。アップリンクＣＣＡ手順３６５が失敗すると、Ｕ−ＣＵＢＳ３７０が送信されないことがある。
【００５７】
[0070]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５としていくつかの基地局によって使用され得る。Ｓサブフレーム３３０の第２の部分は、ガード期間（ＧＰ）３６０として使用され得る。Ｓサブフレーム３３０の第３の部分は、アップリンクＣＣＡ手順３６５のために使用され得る。Ｓサブフレーム３３０の第４の部分は、アップリンクパイロットタイムスロット（ＵｐＰＴＳ）としてまたはＵ−ＣＵＢＳ３７０を送信するために競合ベースの無線周波数スペクトル帯域のチャネルへのアクセスに対する競合に成功した１つまたは複数のＵＥによって使用され得る。
【００５８】
[0071]いくつかの例では、ダウンリンクＣＣＡ手順３４５またはアップリンクＣＣＡ手順３６５は、単一のＣＣＡ手順の実行を含み得る。他の例では、ダウンリンクＣＣＡ手順３４５またはアップリンクＣＣＡ手順３６５は、拡張されたＣＣＡ手順の実行を含み得る。拡張ＣＣＡ手順は、ランダムな数のＣＣＡ手順を含み得、いくつかの例では、複数のＣＣＡ手順を含み得る。
【００５９】
[0072]上で示されたように、図３は例として提供される。他の例が可能であり、他の例は図３に関連して説明されたものとは異なることがある。
【００６０】
[0073]図４は、本開示の様々な態様による、競合ベースの共有無線周波数スペクトル帯域にアクセスするために競合するとき、送信装置によって実行されるＣＣＡ手順４１５の一例４００の図である。いくつかの例では、ＣＣＡ手順４１５は、図３を参照しながら説明したダウンリンクＣＣＡ手順３４５またはアップリンクＣＣＡ手順３６５の一例であり得る。ＣＣＡ手順４１５は固定持続時間を有し得る。いくつかの例では、ＣＣＡ手順４１５は、ＬＢＴフレームベース機器（ＬＢＴ−ＦＢＥ）プロトコル（たとえば、ＥＮ３０１  ８９３によって説明されるＬＢＴ−ＦＢＥプロトコル）に従って実行され得る。ＣＣＡ手順４１５に続いて、ＣＵＢＳ４２０などのチャネル予約信号が送信され得、データ送信（たとえば、アップリンク送信またはダウンリンク送信）が後続し得る。例として、データ送信は、３つのサブフレームの意図された持続時間４０５と、３つのサブフレームの実際の持続時間４１０とを有し得る。
【００６１】
[0074]上で示されたように、図４は例として提供される。他の例が可能であり、他の例は図４に関連して説明されたものとは異なることがある。
【００６２】
[0075]図５は、本開示の様々な態様による、競合ベースの共有無線周波数スペクトル帯域にアクセスするために競合するとき、送信装置によって実行される拡張ＣＣＡ（ＥＣＣＡ）手順５１５の一例５００の図である。いくつかの例では、ＥＣＣＡ手順５１５は、図３を参照しながら説明したダウンリンクＣＣＡ手順３４５またはアップリンクＣＣＡ手順３６５の一例であり得る。ＥＣＣＡ手順５１５は、ランダムな数のＣＣＡ手順を含み得、いくつかの例では、複数のＣＣＡ手順を含み得る。したがって、ＥＣＣＡ手順５１５は、可変の持続時間を有し得る。いくつかの例では、ＥＣＣＡ手順５１５は、ＬＢＴ負荷ベース機器（ＬＢＴ−ＬＢＥ）プロトコル（たとえば、ＥＮ３０１  ８９３によって説明されるＬＢＴ−ＬＢＥプロトコル）に従って実行され得る。ＥＣＣＡ手順５１５は、競合ベースの共有無線周波数スペクトル帯域にアクセスするための競合に勝つことのより高い可能性をもたらし得るが、より短いデータ伝送の潜在的なコストをもたらし得る。ＥＣＣＡ手順５１５に続いて、ＣＵＢＳ５２０など、チャネル予約信号が送信され、その後にデータ送信が続き得る。例として、データ送信は、３つのサブフレームとしての意図された持続時間５０５と、２つのサブフレームとしての実際の持続時間５１０とを有し得る。
【００６３】
[0076]上で示されたように、図５は例として提供される。他の例が可能であり、他の例は図５に関連して説明されたものとは異なることがある。
【００６４】
[0077]図６は、図１の基地局／ｅＮＢのうちの１つであり得る基地局／ｅＮＢ１０５および図１のＵＥのうちの１つであり得るＵＥ１１５の設計のブロック図を示す。ｅＮＢ１０５はアンテナ６３４ａ〜６３４ｔを装備し得、ＵＥ１１５はアンテナ６５２ａ〜６５２ｒを装備し得る。ｅＮＢ１０５において、送信プロセッサ６２０は、データソース６１２からデータを受信し、コントローラ／プロセッサ６４０から制御情報を受信することができる。制御情報は、物理ブロードキャストチャネル（ＰＢＣＨ：physical broadcast channel）、物理制御フォーマット指示チャネル（ＰＣＦＩＣＨ：physical control format indicator channel）、物理ハイブリッド自動再送要求指示チャネル（ＰＨＩＣＨ：physical hybrid automatic repeat request indicator channel）、物理ダウンリンク制御チャネル（ＰＤＣＣＨ：physical downlink control channel）などに対するものであり得る。データは、物理ダウンリンク共有チャネル（ＰＤＳＣＨ：physical downlink shared channel）などのためのものであり得る。送信プロセッサ６２０は、データシンボルと制御シンボルとを取得するために、それぞれデータと制御情報とを処理（たとえば、符号化およびシンボルマッピング）し得る。送信プロセッサ６２０はまた、たとえば、１次同期信号（ＰＳＳ）、２次同期信号（ＳＳＳ）、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実施し得、出力シンボルストリームを変調器（ＭＯＤ）６３２ａ〜６３２ｔに与え得る。各変調器６３２は、（たとえば、ＯＦＤＭなどのための）それぞれの出力シンボルストリームを処理して、出力サンプルストリームを取得し得る。各変調器６３２はさらに、ダウンリンク信号を取得するために、出力サンプルストリームを処理（たとえば、アナログへの変換、増幅、フィルタ処理、およびアップコンバート）し得る。変調器６３２ａ〜６３２ｔからのダウンリンク信号は、それぞれアンテナ６３４ａ〜６３４ｔを介して送信され得る。
【００６５】
[0078]ＵＥ１１５において、アンテナ６５２ａ〜６５２ｒは、ｅＮＢ１０５からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出シンボルを処理（たとえば、復調、デインターリーブ、および復号）し、ＵＥ１１５のための復号されたデータをデータシンク６６０に与え、復号された制御情報をコントローラ／プロセッサ６８０に与え得る。
【００６６】
[0079]アップリンク上では、ＵＥ１１５において、送信プロセッサ６６４が、データソース６６２から（たとえば、物理アップリンク共有チャネル（ＰＵＳＣＨ：physical uplink shared channel）のための）データを受信し、処理し得、コントローラ／プロセッサ６８０から（たとえば、物理アップリンク制御チャネル（ＰＵＣＣＨ：physical uplink control channel）のための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）復調器６５４ａ〜６５４ｒによって処理され、ｅＮＢ１０５に送信され得る。ｅＮＢ１０５において、ＵＥ１１５からのアップリンク信号は、アンテナ６３４によって受信され、変調器６３２によって処理され、適用可能な場合はＭＩＭＯ検出器６３６によって検出され、さらに受信プロセッサ６３８によって処理されて、ＵＥ１１５によって送られた復号されたデータおよび制御情報が取得され得る。プロセッサ６３８は、復号されたデータをデータシンク６４６に与え、復号された制御情報をコントローラ／プロセッサ６４０に与え得る。
【００６７】
[0080]コントローラ／プロセッサ６４０および６８０は、それぞれｅＮＢ１０５における動作およびＵＥ１１５における動作を指示し得る。ｅＮＢ１０５におけるコントローラ／プロセッサ６４０および／または他のプロセッサおよび構成要素は、本明細書で説明する技法のための様々なプロセスを実行するか、またはその実行を指示し得る。ＵＥ１１５におけるコントローラ／プロセッサ６８０ならびに／または他のプロセッサおよび構成要素はまた、図８、図１０Ａ、図１０Ｂおよび図１２に示されている機能ブロック、および／または本明細書で説明する技法のための他のプロセスを実行するか、またはその実行を指示し得る。メモリ６４２および６８２は、それぞれ、ｅＮＢ１０５およびＵＥ１１５のためのデータおよびプログラムコードを記憶し得る。スケジューラ６４４は、ダウンリンクおよび／またはアップリンク上でのデータ送信のためにＵＥをスケジューリングし得る。
【００６８】
[0081]ＵＥなどのデバイスは、信号の受信および／または送信に使用するために複数のアンテナ（Ｎ）を有し得る。デバイスは、ＬＴＥ、ＷｉＦｉなどの特定の無線アクセス技術（ＲＡＴ）のため、特定のキャリア周波数のため、またはその両方のために使用するために、アンテナの使用と割り当てとを分割する場合がある。たとえば、デバイスは、ＣＡの場合に１つのキャリアに対して固定数のアンテナを使用してよく、またはデバイスがＷｉＦｉとＬＴＥなどの他の技術の両方をサポートするときにＷｉＦｉに対して固定数のアンテナを使用してもよい。一例では、ＵＥは４つのアンテナを有し、ＷｉＦｉ通信のためにアンテナのうちの２つを割り当て、ＬＴＥ通信のために２つのアンテナを割り当ててもよい。また、ＵＥなどのデバイスは、１つの技術または１つのキャリアのためのアンテナの数を動的にまたは半静的に選択してもよい（アンテナ選択）。そのような動的なまたは半静的な方式では、共有または選択は、チャネル品質インジケータ（ＣＱＩ）、基準信号受信電力（ＲＳＲＰ）など、特定の測定結果によってトリガされ得る。
【００６９】
[0082]ＬＴＥなどの通信ネットワークは、周波数分割多重化（ＦＤＭ）実装形態および時分割多重化（ＴＤＭ）実装形態を有し得る。ＦＤＭ実装形態における共有オプションは、異なるアンテナを実際に共有しているのではなく、アンテナを介して受信された周波数スペクトルを共有するのである。たとえば、ＵＥは、異なるエアインターフェースに対してすべてのアンテナを同時に使用するためにダイプレクサ／スイッチを使用し得る。ダイプレクサ／スイッチは、不要な（unwanted）周波数をフィルタリングで除去すること（filtering out）によってフィルタとして働く。しかしながら、そのようなＦＤＭ共有方式では、一般的に、信号がフィルタリングされるときに信号強度においてかなりの損失が存在する。また、そのような損失は、周波数帯域が高くなるにつれて増加する。ＴＤＭ実装形態は、実際には、各エアインターフェース／技術に対して別個のアンテナを使用するかまたは割り当てることができる。したがって、そのようなエアインターフェース／技術を介する通信が使用されないとき、使用されない通信に対して割り当てられたかまたは指定されたそのようなアンテナが、他のエアインターフェース／技術と共有され得る。本開示の様々な態様は、ＴＤＭ実装形態を使用する通信システムを対象とする。
【００７０】
[0083]ワイヤレス通信システムは、非競合の認可無線周波数スペクトル帯域および／または競合ベースの共有無線周波数スペクトル帯域上で動作をサポートし得る。ワイヤレス通信システムは、複数のキャリアを使用して、たとえばＣＡを使用して動作し得る。１つのキャリアは、認可無線周波数スペクトル上で動作するコンポーネントキャリアであり得る１次コンポーネントキャリア（ＰＣＣ）であり得る。したがって、ＰＣＣは、アクセスを求めて競合するための送信装置を必要とすることなく動作し得、なぜなら、無線周波数スペクトル帯域は、ＬＴＥ／ＬＴＥ−Ａ通信のために使用可能な認可無線周波数スペクトル帯域のように、特定の使用のために特定のユーザに認可されているからである。
【００７１】
[0084]また、少なくとも１つの２次コンポーネントキャリア（ＳＣＣ）が、ワイヤレス通信のために使用され得る。ＳＣＣは、競合ベースの共有無線周波数スペクトル帯域（たとえば、無線周波数スペクトル帯域がＷｉＦｉ使用などの無認可使用のために利用可能であるので送信装置がアクセスを求めて競合する必要があり得る、無認可無線周波数スペクトル帯域）を動作させ得る。
【００７２】
[0085]ＣＡでは、ＳＣＣはＰＣＣと関連付けられてよい。スタンドアロン動作では、ワイヤレス通信は、ＰＣＣ上で情報を送信または受信することなく、単独のＳＣＣ上で実行され得る。
【００７３】
[0086]スタンドアロンモードであるかＣＡモードであるかにかかわらず、競合ベースのキャリアの使用は、リソースの浪費とＵＥの非効率的なスケジューリングとを伴う場合がある。ＳＣＣ上のリソースに対するＵＬ許可を受信すると、ＵＥは、データを送信するためにＣＣＡ／ｅＣＣＡを実行しなければならない。ＵＥは、ＣＣＡ／ｅＣＣＡに合格しないと、ＵＥを対象とするリソースの浪費をもたらし、その理由は、それらのリソースは特定のＵＥによる使用のための専用ではなかったからである。ｅＮＢは、ある割合の（a percentage of）ＵＥはＣＣＡ／ｅＣＣＡに失敗する可能性があることの理解し、同じリソースに対して複数のＵＥを割り当て得るが、複数のＵＥがＣＣＡ／ｅＣＣＡに合格するならば、これは、複数のＵＥが重複するリソース上で送信することをもたらし得る。
【００７４】
[0087]図４および図５に関して示されるように、ＣＡモードにおけるＬＴＥ−Ｕアップリンクは、（１）最初に、ｅＮＢはＵＥにアップリンク許可を送る、（２）ＵＬ許可を受信すると、ＵＥは許可を復号してＣＣＡ／ｅＣＣＡ動作を実行することを実行／継続する、および（３）ＣＣＡ／ｅＣＣＡ動作が成功すると、ＵＥはデータを送信することを開始する、の一連のステップを含む。ｅＮＢは、１つのサブフレーム内のアップリンク送信のために異なるＵＥに異なるリソースブロック（ＲＢ）を割り当て得る。ＵＥが、再同期におけるような既定の境界の前にＣＣＡ／ｅＣＣＡ動作に失敗する場合、その許可は、既定の境界に関連するそのサブフレームに対して失効する。再同期は、基地局およびＵＥが、ＬＴＥフレームの競合ベースの共有スペクトル上の同時送信に対して同期することを可能にするために、周期的に発生し得る。
【００７５】
[0088]ｅＮＢは、１つのサブフレーム内のアップリンク送信のために複数のＵＥに同じＲＢを割り当て得る。２つ以上のＵＥが、再同期など、既定の境界の前にＣＣＡ／ｅＣＣＡに成功する場合、それらは、それぞれ、重複するリソースを使用して送信することになる。ｅＮＢは、同じリソースを共有するＵＥを分離するために複数のユーザ、複数の入力、複数の出力（ＭＵ−ＭＩＭＯ）受信機を採用してよいが、これは、ｅＮＢ受信機を複雑にし、送信しているＵＥの各々に対してデータレートを制限することを必要とする場合がある。
【００７６】
[0089]これは、潜在的なリソースの浪費をもたらす。一例では、ｅＮＢは、ＲＢを単一のＵＥに、たとえばＦＤＭ許可を使用して割り当て得る。時々、ｅＮＢは、その後ＣＣＡ／ｅＣＣＡ動作に失敗して割り当てられたＲＢ内でデータを送信し得なくなるＵＥにＲＢを割り当てる場合がある。反対に、ｅＮＢが重複しているリソースを複数のＵＥに割り当て、すべてのＵＥが送信することを仮定してデータレートを選択するときに、リソースが非効率に割り振られる場合がある。なぜならば、ＵＥのサブセットだけしか、それらのＣＣＡ／ｅＣＣＡ動作に成功し得ないからである。したがって、割り当てられたＲＢ上でデータを送信することを進める（proceed）ＵＥは、複数のＵＥが成功したときにｅＮＢが複数の重複する信号を受信し得ることを確実にするために、不必要にバックオフする、および／または低減されたデータレートを使用して送信する場合がある。これは、どのＵＥが、所与のサブフレームに対してＣＣＡ／ｅＣＣＡを継承する（succeed）ことになるかを、ｅＮＢが前もって知ることはないから発生する場合がある。
【００７７】
[0090]本明細書で提示するようにリソースを浪費することを回避するために、ｅＮＢは、同じＲＢを複数のＵＥに事前に割り当ててよい。割り当てられたＲＢは、無認可スペクトルを使用するＳＣＣなど、競合ベースのキャリアに対するものであり得る。したがって、ｅＮＢは、アップリンク許可に対して同じＲＢに対する事前割り当てを複数のＵＥに送信することによってターゲットリソースをオーバープロビジョニング（over provision）し得る。また、この割り当ては、本明細書では「事前許可」または「事前割り当て」と呼ばれる。事前許可割り当ては、ｅＮＢが、どのＵＥが実際のデータ送信のためのリソースの確認された許可を受信する適格となる（be eligible receive）かを制限することを可能にするために行われる場合がある。事前許可割り当ては、データの送信を開始するのではなくｅＮＢにプリアンブルを送信するように、ＵＥに指示してよい。事前許可は、（認可スペクトル上で動作し得る）ＰＣＣなどの非競合ベースのキャリア上で、ｅＮＢによって送信され得る。しかしながら、ＰＣＣは、無認可キャリア上でも同様に動作し得る。図７は、ＰＣＣなどの非競合無線周波数スペクトル帯域７０２、および、ＳＣＣなどの競合ベースの無線周波数スペクトル帯域７０４の図７００を示す。
【００７８】
[0091]事前許可７０６は、非競合キャリア７０２上で少なくとも１つのＵＥにｅＮＢによって送信され得る。事前許可は、データ送信を実行するためにＵＥに対する競合ベースのキャリア上で事前に割り当てられたターゲットサブフレーム７０８を示すことができる。
【００７９】
[0092]図７の例はＰＣＣ上で送信されている事前許可と許可認証とを示すが、別の例では、事前許可および許可認証の少なくとも一方がＳＣＣ上で送信され得る。
【００８０】
[0093]事前許可を受信すると、各ＵＥは、ＣＣＡ／ｅＣＣＡ動作７１０を実行してよく、それがＣＣＡ／ｅＣＣＡ動作に成功すると、プリアンブル７１２を送信する。事前許可割り当ては、競合ベースのキャリア７０４上でリソース、たとえばターゲットサブフレーム７０８を割り当て得る。競合ベースのキャリアの一例は、無認可スペクトル上で動作するＳＣＣである。したがって、ＵＥは、事前許可割り当て内に示されるＳＣＣに対するＣＣＡ／ｅＣＣＡ７１０を実行してよく、ＣＣＡ／ｅＣＣＡが成功すると、このＳＣＣ７０４上でプリアンブル７１２を送信してよい。プリアンブル７１２は、事前許可によって示される時間の間に、およびＵＬデータ送信に対する事前許可内でスケジュールされたサブフレーム７０８の前に送信され得る。したがって、プリアンブルの送信のために割り当てられるリソースと、後のＵＬデータの送信のために事前に割り当てられるリソースとは異なる場合がある。
【００８１】
[0094]図７は単一のプリアンブルのみを示すが、ＵＥは、ＰＣＣ内のシグナリングなど、ｅＮＢから応答をそれが受信するまで、または指定された時間の終了まで、プリアンブル７１２を送信することを継続してよい。たとえば、ＵＥがｅＮＢから応答を受信しない場合、ＵＥは、タイマーが満了するまで、または時間期間の終了までもしくは再同期などの境界が到達するまで、プリアンブルを送信することを継続してよい。事前許可は、ＵＥがプリアンブルを送信することを開始すべきときを示すタイミング情報を含んでよく、プリアンブルを送信すべき周波数を示してよい。また、事前許可は、たとえＵＥがｅＮＢからプリアンブルに対する応答を受信していない場合でも、ＵＥがプリアンブルの送信を終了（cease）すべきときを示すタイミング情報を含み得る。
【００８２】
[0095]ｅＮＢがプリアンブルの送信元であるＵＥを識別し得るように、プリアンブルは、同じアップリンクリソース、たとえばサブフレーム上でスケジュールされた各ＵＥに対して一意であり得る。プリアンブルは、複数の部分を含み得る。たとえば、プリアンブルの初期部分（initial portion）７１４は、事前許可割り当てが発行されたＵＥのうちのどれがＣＣＡ／ｅＣＣＡ検査に合格したかをｅＮＢが決定し得るように、ｅＮＢに対するＵＥを識別するように構成され得る。プリアンブルシグネチャは、各ＵＥによって受信された事前許可の関数であり得る。したがって、プリアンブルは、事前許可に適合され得る。
【００８３】
[0096]プリアンブルの残り７１６は、プリアンブル送信のために使用されるチャネルを維持するように構成され得る。たとえば、図７に示されるように、ＵＥは、プリアンブルの一部分として競合ベースの周波数スペクトル帯域上で１つまたは複数のチャネル予約信号７１８（たとえば、１つまたは複数のCUBS）を送信し得る。プリアンブルは、複数の送信がｅＮＢによって検出され得るように、ＴＤＭまたはＦＤＭ波形を備え得る。たとえば、プリアンブルは、複数のプリアンブルが互いにインターレースされ得るように構成され得る。事前許可は、プリアンブルのためにＵＥによって使用されるべきインターレースを示し得る。プリアンブルはｅＮＢによって検出可能である必要があり、一例では、プリアンブルは、通信用に意図されるチャネルを占有するのに十分な電力を備える必要がある場合がある。プリアンブルによって（with）チャネルを、たとえば周波数および時間において占有することによって、ＵＥは、それのデータ送信のために同じチャネルを使用することができる。たとえば、ＵＥは、チャネルに対して１２トーンごとに４つを占有する必要がある場合がある。
【００８４】
[0097]また、プリアンブルは、追加の情報を備え得る。特に（Among others）、そのような追加の情報は、特に、ＵＬトラフィックに対するバッファサイズ（ＳＲ）またはＱｏＳ要件情報を備え得る。この追加の情報は、ＵＬスケジューラを支援するためにより正確な／最新の（recent）情報をｅＮＢに提供するように選択され得る。そのような追加の情報は、より正確なまたはより効率的な許可認証を作成するために、ｅＮＢによって使用され得る。たとえば、ｅＮＢは、バッファサイズに基づいてＵＥを優先順位付けし得る。
【００８５】
[0098]プリアンブルの残り７１６は、ＷｉＦｉノードがそれらの送信を相応にバックオフまたは調整し得るように送信の持続時間に関してＷｉＦｉノードに通知するために、ＷｉＦｉプリアンブルを備え得る。プリアンブル７１２の初期部分においてｅＮＢによって必要とされる情報を提供することは、ｅＮＢが、ＵＥを識別するために初期部分を復号することと、プリアンブルが残りの部分を送信することを継続している間に許可認証に関する決定を行うこととを可能にする。
【００８６】
[0099]図７のプリアンブル７１２は、必ずしも縮尺通りに描かれているとは限らない。図７は、プリアンブル７１２がほぼ１つのサブフレームにわたるように示しているが、プリアンブルは、単一のサブフレーム内で、複数のサブフレームにわたって、または１つのサブのサブフレーム持続時間（たとえば、複数のシンボルのうちの１つ）のみにわたって送信される場合がある。事前許可およびプリアンブルは、互いの数個のシンボル（たとえば、０または１以上）の中で送信され得る。ｅＮＢは、プリアンブル送信がその間に発生すべき持続時間を事前許可割り当ての中で指定し得る。これは、ＵＥが、許可認証がｅＮＢから受信されていないときに、指定された時間にプリアンブル送信を停止することを可能にする。たとえば、事前許可は、応答が受信されない場合、プリアンブル送信がそれ以降に終了すべき時間制限を含み得る。これは、プリアンブル送信の持続時間が、特定のＵＥのリンクバジェット制限に基づいて調整されることを可能にする。たとえば、リンクバジェット制限を有するＵＥが、より狭い帯域幅内であるがより長い時間期間の中でプリアンブルを送信するようにスケジュールされ得る。
【００８７】
[00100]ＵＥに事前許可を送った後、ｅＮＢは、ＵＥからのプリアンブル７１２の、少なくとも初期部分７１４を復号することを試みる。たとえば、ｅＮＢは、対応するＳＣＣ内でＵＥによって送信されたプリアンブルを検出することを試みる場合がある。ＵＥを識別する初期部分７１４の後の、プリアンブルの残りの部分７１６は、ｅＮＢが、プリアンブルを受信したことに応答してプリアンブルを処理するため、およびデータ送信のためのリソースの実際の許可を決定するための時間を与え得る。
【００８８】
[00101]プリアンブルを受信すると、ｅＮＢは、ｅＮＢがプリアンブルを検出するＵＥに許可認証７２０の割り当てを送信する。許可認証７２０の割り当ては、たとえば、データ送信に対する信号／制御チャネル割り当てを備え得る。図示のように、許可認証割り当ては、ＰＣＣ７０２などの非競合ベースのキャリア上で送られ得る。事前許可およびプリアンブルと同様に、プリアンブルおよび許可認証は、互いの数個のシンボル（たとえば、０または１以上）の中で（without）送られ得る。
【００８９】
[00102]ｅＮＢは、同じリソースに対する複数のＵＥに事前許可割り当てを送ってよく、したがって、ｅＮＢは、事前許可に応答して２つ以上のプリアンブルを受信する場合がある。したがって、プリアンブルはＦＤＭ方式でグループ化されてよいが、プリアンブルは、時間および周波数において互いに重複する場合がある。加えて、ＵＥは、許可認証を受信するまでプリアンブルを送信し続けてよいので、ＵＥが非競合キャリア上で許可認証を受信することと同時に、競合ベースのキャリア上で送信中であり得る。
【００９０】
[00103]ｅＮＢは、別のラウンドのチャネル推定を実行するために、受信されたプリアンブル送信を使用し得る。これは、ｅＮＢが、ＭＣＳ計算精度を改善するためにチャネルのより最近の外観に基づいて許可認証を作成することを可能にする。
【００９１】
[00104]一例では、ｅＮＢは、複数の事前許可を単一のＵＥに送信してよく、たとえば、各事前許可は異なるＭＣＳまたはリソース割り当てを有する。次いで、ＵＥは、許可の各々に基づいてＣＣＡ／ｅＣＣＡを実行する。ＣＣＡ／ｅＣＣＡが正常であると、ＵＥは、事前許可に基づいてプリアンブルを送信する。上述のように、ｅＮＢが、同じＵＥに対してさえもプリアンブルを対応する事前許可に適合することが可能であるように、プリアンブルは、事前許可の関数で（a function of）あってよい。次いで、許可認証において、ｅＮＢは、データ送信に対して確認するために、事前許可割り当てのうちの１つを選択し得る。これは、ｅＮＢが、（同じサブフレームまたは後続のサブフレーム内で）リソースを許可する直前に特定のＵＥに対して正確な決定を行うことを可能にする。
【００９２】
[00105]許可認証７２０は、プリアンブルがｅＮＢによって検出されたＵＥに対する事前許可割り当てを修正して（modify）よい。
【００９３】
[00106]許可認証７２０は、たとえばｅＮＢがアップリンク衝突を回避したいときに、いくつかのＵＥの送信を停止してよい。たとえば、同じリソースに対する事前許可割り当てに応答して複数のプリアンブルが異なるＵＥから受信されたとき、許可認証シグナリングは、どのＵＥがデータを送信することを継続してよいかを示してよく、他のＵＥがプリアンブル送信を停止すべきことを示してよい。
【００９４】
[00107]ＵＥが、送信を継続すべきことを示す許可認証７２０を受信すると、選択されたＵＥは、データを送信するためにプリアンブルを送信することから切り換えてよい。反対に、ＵＥが、それのプリアンブル送信に応答して、それが送信を中断すべきであるとの応答をｅＮＢから受信すると、ＵＥは送信を停止することになる。
【００９５】
[00108]また、許可認証７２０は、前にＵＥに送られた事前許可を修正してもよい。ｅＮＢは、この時点でリソース割振りをよりよく理解するので、ｅＮＢは、どのＵＥがＣＣＡ／ｅＣＣＡ検査に合格するかを知るからである。
【００９６】
[00109]複数のプリアンブルが単一のリソース割振りに対してｅＮＢによって受信されると、ｅＮＢは、フェアネス基準（fairness criteria）を使用して、継続される送信が許可認証内で示されることになるＵＥを選択し得る。たとえば、フェアネス比較は、プリアンブルが受信されるＵＥ間で行われ得る。異なるＵＥにおける送信に対するデータの優先レベルは、ＵＥが継続される送信に対して選択される前に、考慮に入れられてよい。
【００９７】
[00110]したがって、ｅＮＢは、事前許可７０６の割り当てを同じリソースに対する複数のＵＥに送ることによって、または異なるリソースに対する複数の事前許可を単一のＵＥに送ることによって、特定のリソースをオーバースケジュールする場合がある。次いで、ｅＮＢは、データ送信のためのリソースに対する許可を認証する前にＣＣＡ／ｅＣＣＡが正常で（successful）あったことを示すプリアンブルを考慮してよい。
【００９８】
[00111]一例では、短いプリアンブル送信時間を有することが有利であり得る。ＵＥが、許可認証内で継続される送信に対して選択されなかった場合、プリアンブル送信はその特定のＵＥに対して浪費される。
【００９９】
[00112]プリアンブル送信時間は、プリアンブルの最初の部分がＵＥを検出するためにｅＮＢによって使用されることによって低減され得る。プリアンブルのこの部分の長さは、スケジュールされているＵＥのリンクバジェットと関連付けられてよい。プリアンブルの残りは、帯域占有に対して構成されてよく、ｅＮＢに対してほとんど有用でなくてもよい。プリアンブルの残りの部分の送信は、ｅＮＢ以外のノードに宛てられてもよい。たとえば、プリアンブルの残りは、たとえばＷｉＦｉプリアンブルを使用して、ＷｉＦｉノードに宛てられた通信を備えてよい。ｅＮＢに宛てられたプリアンブルの初期部分を有することによっては、ｅＮＢがプリアンブルを復号し、プリアンブルに応答してそれが送ることになる許可認証を決定するための時間を可能にする。
【０１００】
[00113]プリアンブル送信時間は、高速プリアンブル検出の実施によって（through）低減され得る。
【０１０１】
[00114]プリアンブル送信時間は、高速制御チャネルの使用によって低減され得る。そのような高速制御チャネルは、ＰＣＣなど、ＳＣＣとは異なるコンポーネントキャリア内にあり得る。プリアンブル送信時間は、制御チャネルが頻繁におよび短い持続時間で利用可能になることによって低減され得る。一例では、ＬＴＥシステムは、ＰＣＣとして使用され得る高速制御チャネルを追加するように修正され得る。高速制御チャネル自体は、１つのシンボルまたは複数のシンボルに及ぶ場合がある。制御チャネルは、サブシンボル送信に基づく場合がある。高速制御チャネルは、サブフレームの開始に限定されるのではなく、サブフレーム内のフレキシブルな位置における送信を含んでもよい。
【０１０２】
[00115]プリアンブル送信時間は、高速で容易な制御チャネル復号によって低減され得る。たとえば、プリアンブル送信は、高速制御チャネルが受信され、復号されたときに停止される場合がある。制御チャネルを復号するために低減される処理時間は、高速制御チャネルに対するより簡単なコードの使用によって達成され得る。
【０１０３】
[00116]一例として、高速制御チャネルに対して、ＰＣＦＩＣＨまたはＰＨＩＣＨのような制御信号が、数個のＲＢがこの目的で予約されるデータ領域内の１つまたは複数のＯＦＤＭシンボル（またはシンボルの一部分）内で送信される場合がある。
【０１０４】
[00117]図８は、ワイヤレス通信の方法のフローチャート８００である。本方法は、ＵＥ（たとえば、ＵＥ１１５、１１５−ａ、１１５−ｂ、または装置１００２、１００２’）によって実行され得る。８０２において、ＵＥは、ｅＮＢから事前許可割り当てを受信する。たとえば、ＵＥは、ＰＣＣなどの非競合ベースのキャリア上で、またはＳＣＣなどの競合ベースのキャリア上で事前許可割り当てを受信し得る。事前許可は、たとえば競合ベースのキャリア内でターゲットサブフレームを備え得る。一例では、競合ベースのキャリアはＳＣＣを備えてよい。
【０１０５】
[00118]８０４において、ＵＥは、事前許可割り当てに基づいてＣＣＡ／ｅＣＣＡ動作を実行する。ＵＥは、ＣＣＡ／ｅＣＣＡ検査が８０６において合格されるかどうかを決定する。
【０１０６】
[00119]ＵＥがＣＣＡ／ｅＣＣＡ動作に合格すると、ＵＥは、事前許可割り当てに基づいて８０８においてプリアンブルを送信する。プリアンブルは、たとえばＳＣＣなどの競合ベースのキャリア上で送信され得る。たとえば、ＵＥがＳＣＣ内でターゲットサブフレームに対する事前許可を受信すると、ＵＥは、そのＳＣＣに対するＣＣＡ／ｅＣＣＡ検査を実行してよく、そのＳＣＣ上でプリアンブルを送信してよい。プリアンブルは、ＳＣＣ上でターゲットサブフレームに先立って送信されてよい。プリアンブルは、事前許可を発行した基地局、たとえばｅＮＢに対するＵＥを識別するための初期部分を備え得る。プリアンブルの第２の部分は、図７に関して説明したように、帯域占有用に構成され得る。事前許可は、プリアンブルの送信に対するタイミング情報と周波数情報とを示し得る。事前許可は、プリアンブル送信がどれくらいの長さであるべきかを示し得る。これは、ｅＮＢから応答が受信されない場合、ＵＥが送信をそれ以降に中断すべき持続時間を与え得る。
【０１０７】
[00120]プリアンブルは、たとえばＰＣＣのような異なる制御チャネル内で、高速制御チャネルを介して送信され得る。たとえば、制御チャネルは、ほぼＯＦＤＭシンボルごとのように頻繁に、およびほぼ１つのＯＦＤＭシンボル長さ、数個のサブＯＦＤＭシンボルの長さ、さらには１つのサブＯＦＤＭシンボル長さのような短い持続時間で利用可能であり得る。
【０１０８】
[00121]ＵＥは、それが別段に示されるまで、プリアンブルを送信することを継続してよい。たとえば、ＵＥがｅＮＢから許可認証応答を受信するまで、ＵＥはプリアンブルを送信することを継続してよい。ｅＮＢから応答が受信されない場合、ＵＥは、指定された期間の終了まで、たとえばタイマーが満了するまで、再同期などの境界が到達されるまでなど、プリアンブルを送信することを継続してよい。
【０１０９】
[00122]ｅＮＢは、同じターゲットサブフレームに対する割り当てを有する事前許可送信を複数のＵＥに送ってよい。したがって、プリアンブルは、同じリソースに対する事前許可割り当てを受信した複数のＵＥのグループの中のＵＥを一意に識別し得る。
【０１１０】
[00123]ＵＥは、プリアンブルの送信に応答してｅＮＢから許可認証を受信し得る。８１０において、ＵＥは、許可認証がｅＮＢから受信されているかどうかを決定する。ｅＮＢは、同じターゲットリソース、たとえばサブフレームに対する複数のＵＥに事前許可を送信しているので、許可認証は、事前許可割り当て、事前許可割り当ての修正、または送信を中断することの指示（indication）の中に同じターゲットサブフレームの許可認証のいずれかを備え得る。したがって、ｅＮＢが、ＣＣＡ／ｅＣＣＡ検査に合格したＵＥを決定すると、ｅＮＢは、少なくとも１つのＵＥが送信を終了すべきであることを示すことによって衝突を回避するように、ＵＥに指示してよい。許可認証は、たとえばプリアンブルによって与えられるｅＮＢのより正確な理解に基づく、事前許可割り当ての修正であり得る。たとえば、事前許可割り当ては、複数のＵＥからの送信を受け入れる（accommodate）ために、許可認証内で修正されてよい。許可認証は、たとえば、ＰＣＣなどの非競合ベースのキャリア上で、またはＳＣＣなどの競合ベースのキャリア上で受信され得る。
【０１１１】
[00124]８１２において、ＵＥは、許可認証に従ってデータを送信するか、または送信を終了する。許可認証が８１０において受信されない場合、ＵＥは、８１４において、指定された期間が経過したかどうかを決定する。期間が経過していない場合、ＵＥは、８０８において、プリアンブルを送信することを継続する。期間が経過した場合、ＵＥは、プリアンブルを送信することを終了する。指定された期間は、事前許可内でｅＮＢから受信された時間期間に基づく場合がある。
【０１１２】
[00125]図９は、ワイヤレス通信の方法のフローチャート９００である。本方法は、ｅＮＢ（たとえば、ｅＮＢ１０５、１０５−ａ、１０５−ｂ、または装置１２０２、１２０２’）によって実行されてよい。９０２において、ｅＮＢは、事前許可割り当てを少なくとも１つのＵＥに送信する。許可認証割り当ては、ＰＣＣなどの非競合ベースのキャリア上で送信され得る。また、事前許可は、ＳＣＣなどの競合ベースのキャリア上で送信され得る。
【０１１３】
[00126]９０４において、ｅＮＢは、事前許可割り当てに応答して少なくとも１つのＵＥからのプリアンブル送信を検出する。プリアンブルは、ＳＣＣなどの競合ベースのキャリア上で受信され得る。プリアンブル波形は、ｅＮＢにおいて低複雑度検出を考慮する（allow for）ように設計され得る。たとえば、各ＵＥは、擬似ランダムシーケンスの異なるサイクリックシフトを送信してよく、ｅＮＢは相関を実行してよい。ＵＥからプリアンブルを受信することは、ＵＥがＣＣＡ／ｅＣＣＡ検査に合格したことを示す。ｅＮＢは、同じターゲットリソースに対する複数のＵＥに事前許可を送り得るので、プリアンブルは、事前許可が送信されたＵＥのうちの１つを一意に識別することができる。ｅＮＢは、同じターゲットサブフレームに対する事前許可が送られたＵＥの中の１つのＵＥを決定するためにプリアンブルの少なくとも一部分を使用してよい。
【０１１４】
[00127]たとえば、ｅＮＢは、ＵＥを識別するためにプリアンブルの初期部分を使用し得る。プリアンブルの残りはｅＮＢに対してあまり有用でなく、代わりに、チャネルを保持するように、またはＷｉＦｉプリアンブルを送信するように構成されてよい。したがって、ｅＮＢは、ＵＥを識別するプリアンブルの初期部分を復号した後、プリアンブルの残りを無視してもよい。プリアンブルは、バッファサイズなど、ｅＮＢによって考慮される追加の情報を含む場合がある。ｅＮＢは、許可認証をＵＥに送る前に、ＭＣＳ計算精度を改善するために、チャネル推定を実行するために送信プリアンブルを使用し得る。
【０１１５】
[00128]９０６において、ｅＮＢはＵＥに許可認証を送信する。許可認証は、ＰＣＣなどの非競合ベースのキャリア上で、またはＳＣＣなどの競合ベースのキャリア上で送信され得る。許可認証は、９０４においてプリアンブルが検出されたＵＥのうちの少なくとも１つに対する信号／制御チャネル割り当てを備え得る。
【０１１６】
[00129]ｅＮＢは、同じターゲットリソースに対する複数のＵＥに事前許可割り当てを送ることによってオーバースケジュールしてよい。したがって、９０２において、１つまたは複数の事前許可割り当ての送信は、同じリソースに対する割り当てを有する複数のＵＥに複数の事前許可割り当てを送信することを含む場合がある。したがって、ｅＮＢは、ＰＣＣまたはＳＣＣ上でＵＥのセットに１つまたは複数の事前許可割り当てを送信し得る。
【０１１７】
[00130]９０４において、１つまたは複数のプリアンブル送信の検出は、送信された事前許可割り当てに応答して複数のプリアンブル送信を検出することを含んでよく、各プリアンブルは、同じアップリンクリソース、たとえばサブフレーム上でスケジュールされたＵＥのうちの１つを一意に識別する。
【０１１８】
[00131]９０８において、ｅＮＢは、プリアンブル送信が検出されたＵＥに対する事前許可割り当ての修正を決定してよい。これは、９１０においてＵＥが送信を継続すべきであることを示す許可認証を受信するために少なくとも１つのＵＥを決定することと、９１２において送信を停止することの指示を受信すべきプリアンブルが受信された他のＵＥを決定することとを含んでよい。複数のプリアンブルがｅＮＢにおいて受信されるとき、継続される送信のために選択されるＵＥは、フェアネス基準を使用して選択されてよい。ｅＮＢは、プリアンブルが検出されるＵＥに対する事前許可割り当ての修正を決定することの一部分としてＭＣＳ計算精度を改善するために、別のチャネル推定を実行するために受信されたプリアンブルを使用してよい。
【０１１９】
[00132]また、ｅＮＢは、９０２において単一のＵＥに複数の事前許可を送信してよく、各事前許可はＵＥに異なるリソースを割り当てる。事前許可に応答して、ＵＥは、複数のＣＣＡ／ｅＣＣＡ検査を実行し、ＣＣＡ／ｅＣＣＡが正常である各事前許可に応答してｅＮＢにプリアンブルを送信する。したがって、９０８において、ＵＥに送るための許可認証を決定することは、９１４において、ＵＥに対してどの事前許可を認証するかを決定することを含んでよい。
【０１２０】
[00133]ｅＮＢは、９０２において、重複するリソースまたは重複しないリソースを用いて、複数のＵＥに複数の事前許可を送信してよい。ＵＥから任意のプリアンブルを検出した後、ｅＮＢは、ＵＥに送信するための許可認証を決定し得る。許可認証は、事前許可のうちの１つを選択してよく、または事前許可割り当てを修正してもよい。
【０１２１】
[00134]したがって、９０６において、ｅＮＢによって送信された許可認証は、事前許可割り当ての許可認証、事前許可割り当ての修正、または送信を中断することの指示のうちのいずれかを備え得る。したがって、許可認証は、９０４においてプリアンブルが検出されたＵＥのうちの少なくとも１つに対する事前許可割り当てから修正された信号／制御チャネル割り当てを備え得る。
【０１２２】
[00135]図１０は、例示的な装置１００２中の異なる手段／構成要素間のデータフローを示す概念データフロー図１０００である。装置は、ｅＮＢ１０５０から送信１００１を受信するＵＥ、およびｅＮＢ１０５０に送信１００３を送るＵＥであってよい。装置は、ｅＮＢ１０５０から送信１００１を受信し、装置１００２の他の構成要素に送信を伝達する受信構成要素１０１２を含む。たとえば、事前許可割り当てが受信構成要素１０１２において受信されたとき、受信構成要素１０１２は、事前許可構成要素１００４に事前許可割り当て１００５を出力してよい。事前許可構成要素１００４は、装置に事前に割り当てられるデータ送信に対するターゲットリソースを決定するために事前許可を処理してよい。ターゲットリソースは、ＳＣＣなどの競合ベースのキャリア上にある場合がある。したがって、事前許可構成要素１００４は、事前許可割り当てに基づいてＣＣＡ／ｅＣＣＡ動作を実行するように構成されたＣＣＡ／ｅＣＣＡ構成要素１００６にこの情報１００７を与えてよい。次いで、ＣＣＡ／ｅＣＣＡ構成要素１００６は、ＣＣＡ／ｅＣＣＡを実行するために送信構成要素１０１４に対する命令１００９を出力する。ＣＣＡ／ｅＣＣＡ構成要素は、たとえば、受信構成要素１０１２においてｅＮＢから受信され、ＣＣＡ／ｅＣＣＡ構成要素１００６に出力されたＣＣＡ／ｅＣＣＡ送信１０１１に基づいて、ＣＣＡ／ｅＣＣＡ動作が成功したと決定することができる。次いで、ＣＣＡ構成要素１００６は、ＣＣＡ／ｅＣＣＡ動作が正常であったとの指示１０１３をプリアンブル構成要素１００８に出力してよい。事前許可構成要素１００４からプリアンブル構成要素１００８に出力された情報１０１５を使用して、プリアンブル構成要素１００８は、ＣＣＡ動作が成功したときに事前許可割り当てに基づいてプリアンブルを送信するための命令１０１７を送信構成要素１０１４に出力する。プリアンブルは、装置１００２からのアップリンクデータ送信のためのリソースに対する許可認証を送るためにｅＮＢによって使用されてよい。したがって、受信構成要素１０１２は、プリアンブル送信に応答して許可認証を受信してよく、許可認証構成要素１０１０に許可認証に対する情報１０１９を出力してよい。許可認証構成要素１０１０は、許可認証内で識別されるリソースにおいてデータ送信に対する命令１０２１を送信構成要素１０１４に出力してよい。また、許可認証構成要素は、許可認証に基づいて送信を終了するように送信構成要素に指示してよい。
【０１２３】
[00136]本装置は、図８の上述のフローチャート中のアルゴリズムのブロックの各々を実行する追加の構成要素を含み得る。したがって、図８の上述のフローチャート中の各ブロックは１つの構成要素によって実行され得、本装置は、それらの構成要素のうちの１つまたは複数を含み得る。構成要素は、述べられた（stated）プロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２４】
[00137]図１１は、処理システム１１１４を採用する装置１００２’のためのハードウェア実装形態の一例を示す図１１００である。処理システム１１１４は、バス１１２４によって全体的に（generally）表される、バスアーキテクチャを用いて実装されてもよい。バス１１２４は、処理システム１１１４の特定の適用例および全体的な設計制約に応じて、任意の数の相互接続バスとブリッジとを含んでもよい。バス１１２４は、プロセッサ１１０４によって表される１つまたは複数のプロセッサおよび／またはハードウェア構成要素と、構成要素１００４、１００６、１００８、１０１０、１０１２、１０１４と、コンピュータ可読媒体／メモリ１１０６とを含む様々な回路を互いにリンクする。バス１１２４はまた、タイミングソース、周辺装置、電圧調整器、および電力管理回路など、様々な他の回路をリンクしてもよいが、これらは（which）当技術分野においてよく知られており、したがって、これらについてはこれ以上説明しない。
【０１２５】
[00138]処理システム１１１４はトランシーバ１１１０に結合され得る。トランシーバ１１１０は１つまたは複数のアンテナ１１２０に結合される。トランシーバ１１１０は、送信媒体を介して種々の他の装置と通信するための手段を与える。トランシーバ１１１０は、１つまたは複数のアンテナ１１２０から信号を受信し、受信された信号から情報を抽出し、抽出された情報を処理システム１１１４、具体的には受信構成要素１０１２に供給する。加えて、トランシーバ１１１０は、処理システム１１１４、具体的には送信構成要素１０１４から情報を受信し、受信された情報に基づいて、１つまたは複数のアンテナ１１２０に適用される（applied）べき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む、一般的な処理に関与する。ソフトウェアは、プロセッサ１１０４によって実行されたときに、処理システム１１１４に、任意の特定の装置のための上記で（supra）説明した様々な機能を実行させる。コンピュータ可読媒体／メモリ１１０６はまた、ソフトウェアを実行するときにプロセッサ１１０４によって操作されるデータを記憶するために使用され得る。処理システムは、構成要素１００４、１００６、１００８、１０１０、１０１２、および１０１４のうちの少なくとも１つをさらに含む。それらの構成要素は、プロセッサ１１０４内で動作し、コンピュータ可読媒体／メモリ１１０６内に存在する／記憶されたソフトウェア構成要素、プロセッサ１１０４に結合された１つもしくは複数のハードウェア構成要素、またはそれらの何らかの組合せであり得る。処理システム１１１４は、ＵＥ１１５、１１５−ａ、１１５−ｂまたは１００２の構成要素であり得、メモリ６８２、および／またはＴＸプロセッサ６６４と、ＲＸプロセッサ６５８と、コントローラ／プロセッサ６８０とのうちの少なくとも１つを含み得る。
【０１２６】
[00139]一構成では、ワイヤレス通信のための装置１００２／１００２’は、受信構成要素１００４および／または受信構成要素１０１２など、ＵＥにおいて事前許可割り当てを受信するための手段のための手段と、ＣＣＡ／ｅＣＣＡ構成要素１００６など、事前許可割り当てに基づいてクリアチャネルアセスメント（ＣＣＡ）動作を実行するための手段と、ＣＣＡ動作が成功したときに事前許可割り当てに基づいてプリアンブルを送信するための手段とを含み、プリアンブルは、プリアンブル構成要素１００８および／または送信構成要素１０１４など、ＵＥを一意に識別する。装置１００２／１００２’は、許可認証構成要素１０１０および／または受信構成要素１０１２など、プリアンブル送信に応答して許可認証を受信するための手段をさらに含んでよい。許可認証は、事前許可割り当ての許可認証、事前許可割り当ての修正、および送信を中断することの指示のうちのいずれかを含んでよい。事前許可割り当てまたは許可認証のうちの少なくとも一方は、１次コンポーネントキャリア（ＰＣＣ）上で受信されてよく、プリアンブルは、２次コンポーネントキャリア（ＳＣＣ）上で送信されてよい。たとえば、事前許可は、ＳＣＣ内でターゲットサブフレームを識別し得る。プリアンブルを送信するための手段は、事前許可割り当て内で識別されたＳＣＣ内のプリアンブルを送信するように構成され得る。許可認証が受信されると、装置は、許可認証内の情報に基づいてデータを送信するように、または送信を停止するように構成され得る。したがって、装置１００２／１００２’は、データ送信のためのターゲットリソースを認証する許可認証に応答してデータを送信するための手段を含み得る。上述の手段は、上述の手段によって具陳された（recited）機能を実行するように構成された、装置１００２’の処理システム１１１４および／または装置１００２の上述の構成要素のうちの１つまたは複数であり得る。上記で説明したように、処理システム１１１４は、ＴＸプロセッサ６６４と、ＲＸプロセッサ６５８と、コントローラ／プロセッサ６８０とを含み得る。したがって、一構成では、上述の手段は、上述の手段によって具陳された機能を実行するように構成されたＴＸプロセッサ６６４と、ＲＸプロセッサ６５８と、コントローラ／プロセッサ６８０とであり得る。
【０１２７】
[00140]図１２は、例示的な装置１２０２中の異なる手段／構成要素間のデータフローを示す概念データフロー図１２００である。本装置はｅＮＢであり得る。装置は、ＵＥ、たとえばＵＥ１２５０から送信１２０１を受信する受信構成要素１２０４と、ＵＥ、たとえばＵＥ１２５０に送信１２０３を送る送信構成要素１２０６とをインクルーズし（includes）得る。事前許可構成要素１２０８から送信構成要素１２０６に出力される命令１２０５を使用して、送信構成要素１２０６は、ＵＥのセットに１つまたは複数の事前許可割り当てを送信してよく、そのセットは１つまたは複数のＵＥ、たとえばＵＥ１２５０を含む。事前許可割り当ては、ＰＣＣなどの非競合キャリア上で、またはＳＣＣなどの競合ベースのキャリア上で送信され得る。事前許可構成要素は、受信構成要素１２０４から出力された情報１２０７を少なくとも部分的に使用して事前許可を決定し得る。たとえば、事前許可は、周期的にまたは非周期的に報告されることになる各ＵＥからのＣＱＩ報告、および／またはＵＥのＵＬバッファサイズを示す各ＵＥからのＳＲ報告を使用して決定され得る。
【０１２８】
[00141]プリアンブル送信がＵＥから受信されると、受信構成要素は、１つまたは複数の事前許可送信に応答して、受信されたプリアンブルから１つまたは複数のプリアンブル送信を検出するプリアンブル構成要素に情報１２０９を出力する。プリアンブルは、ＳＣＣなどの競合ベースのキャリア上で受信されてよい。受信されたプリアンブルに関する出力１２１１に基づいて、許可認証構成要素１２１４は、ＵＥのセットのうちのＵＥに１つまたは複数の許可認証割り当てを送信するために、送信構成要素１２０６に対する命令１２１３を出力する。許可認証は、ＰＣＣなどの非競合キャリア上で、またはＳＣＣなどの競合ベースのキャリア上で送信され得る。許可認証は、事前許可割り当ての修正であってよい。
【０１２９】
[00142]時々、装置は、同じリソースに対する割り当てを有する複数のＵＥに複数の事前許可割り当てを送信する場合がある。装置は、単一のＵＥに異なるリソースに対する複数の事前許可を送信する場合がある。したがって、複数のプリアンブル送信は、送信された事前許可割り当てに応答して装置によって検出されてよく、各プリアンブルは、事前許可が送られたＵＥのうちの１つを一意に識別し、および／またはプリアンブルが対応する事前許可を一意に識別する。
【０１３０】
[00143]したがって、ＵＥ選択構成要素は、プリアンブル送信が検出されたＵＥに対する事前許可割り当ての修正を決定し得る。これは、ＵＥが送信を継続すべきであることを示す許可認証を受信するために少なくとも１つのＵＥを決定することと、送信を停止することの指示を受信すべきプリアンブルが受信された他のＵＥを決定することとを含んでよい。したがって、プリアンブル構成要素１２１０は、ＵＥ選択構成要素１２１２に、受信されたプリアンブルに関する情報１２１５を出力し得る。データを送信することを継続することになるＵＥと送信を終了するように指示されることになるＵＥとを決定した後、ＵＥ選択構成要素１２１２は、許可認証構成要素１２１４が適切な許可認証を生成し得るように許可認証構成要素１２１４に、決定されたＵＥについての情報１２１７を出力し得る。その後、許可認証に基づいて、ｅＮＢはＵＥからデータ送信を受信し得る。
【０１３１】
[00144]本装置は、図９の上述のフローチャート中のアルゴリズムのブロックの各々を実行する追加の構成要素を含み得る。したがって、図９の上述のフローチャート中の各ブロックは１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１３２】
[00145]図１３は、処理システム１３１４を採用する装置１２０２’のためのハードウェア実装形態の一例を示す図１３００である。処理システム１３１４は、バス１３２４によって全体的に表される、バスアーキテクチャを用いて実装されてもよい。バス１３２４は、処理システム１３１４の特定の応用例と全体的な設計制約とに依存して、任意の個数の相互接続するバスとブリッジとを含むことができる。バス１３２４は、プロセッサ１３０４によって表される１つまたは複数のプロセッサおよび／またはハードウェア構成要素と、構成要素１２０４、１２０６、１２０８、１２１０、１２１２、１２１４と、コンピュータ可読媒体／メモリ１３０６とを含む様々な回路を互いにリンクする。バス１３２４はまた、タイミングソース、周辺装置、電圧調整器、および電力管理回路など、様々な他の回路をリンクしてもよいが、これらは当技術分野においてよく知られており、したがって、これらについてはこれ以上説明しない。
【０１３３】
[00146]処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４、特に受信構成要素１２０４に与える。さらに、トランシーバ１３１０は、処理システム１３１４、特に送信構成要素１２０６から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む、一般的な処理に関与する。ソフトウェアは、プロセッサ１３０４によって実行されたときに、処理システム１３１４に、任意の特定の装置のための上記で説明した様々な機能を実行させる。コンピュータ可読媒体／メモリ１３０６は、ソフトウェアを実行するときにプロセッサ１３０４によって操作されるデータを記憶するためにも使用され得る。処理システムは、構成要素１２０４、１２０６、１２０８、１２１０、１２１２、および１２１４のうちの少なくとも１つをさらに含む。それらの構成要素は、プロセッサ１３０４内で動作し、コンピュータ可読媒体／メモリ１３０６内に存在する／記憶されたソフトウェア構成要素、プロセッサ１３０４に結合された１つもしくは複数のハードウェア構成要素、またはそれらの何らかの組合せであり得る。処理システム１３１４は、ｅＮＢ１０５、１０５−ａ、１０５−ｂ、１０５０、または１２０２の構成要素であり得、メモリ６４２、および／またはＴＸプロセッサ６２０と、ＲＸプロセッサ６３８と、コントローラ／プロセッサ６４０とのうちの少なくとも１つを含み得る。
【０１３４】
[00147]一構成では、ワイヤレス通信のための装置１２０２／１２０２’は、ＵＥのセットに１つまたは複数の事前許可割り当てを送信するための手段と、セットは１つまたは複数のＵＥ、たとえば事前許可構成要素１２０８および／または送信構成要素１２０６を含む、１つまたは複数の事前許可送信に応答して競合ベースのキャリア上で１つまたは複数のプリアンブル送信を検出するための手段、たとえば受信構成要素１２０４および／またはプリアンブル構成要素１２１０と、１つまたは複数の許可認証割り当てを送信するための手段、たとえば許可認証構成要素１２１４および／または送信構成要素１２０６とを含む。装置１２０２／１２０２’は、同じターゲットリソースに対する異なるＵＥに複数の事前許可を送ることによってリソースをオーバースケジュールすることができる。したがって、１つまたは複数の事前許可割り当てを送信するための手段は、同じリソースに対する割り当てを有する複数のＵＥに複数の事前許可割り当てを送信するように構成されてよい。同様に、１つまたは複数のプリアンブル送信を検出するための手段は、送信された事前許可割り当てに応答して複数のプリアンブル送信を検出するように構成されてよく、各プリアンブルはＵＥのうちの１つを一意に識別する。装置１２０２／１２０２’は、プリアンブル送信が検出されたＵＥに対する事前許可割り当ての修正を決定するための手段をさらに含んでよい。一例では、これは、ＵＥ選択構成要素１２１２を含み得る。事前許可割り当ての修正を決定するための手段は、ＵＥが送信を継続すべきであることを示す許可認証を受信するために少なくとも１つのＵＥを決定することと、送信を停止することの指示を受信すべきプリアンブルが受信された他のＵＥを決定することとを行うように構成される。装置は、ＵＥに送られた許可認証に基づいてＵＥからデータ送信を受信するための手段をさらに含み得る。そのような手段は、たとえば受信構成要素１２０４を含み得る。上述された手段は、上述された手段によって具陳された機能を実行するように構成された、装置１２０２の上述された構成要素、および／または装置１２０２’の処理システム１３１４のうちの１つまたは複数であり得る。上記で説明したように、処理システム１３１４は、ＴＸプロセッサ６２０と、ＲＸプロセッサ６３８と、コントローラ／プロセッサ６４０とを含み得る。したがって、一構成では、上述の手段は、上述の手段によって具陳された機能を実行するように構成されたＴＸプロセッサ６２０と、ＲＸプロセッサ６３８と、コントローラ／プロセッサ６４０とであり得る。
【０１３５】
[00148]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表現され得る。
【０１３６】
[00149]図８、図１０Ａ、図１０Ｂおよび図１２中の機能ブロックおよび構成要素は、プロセッサ、電子デバイス、ハードウェアデバイス、電子構成要素、論理回路、メモリ、ソフトウェアコード、ファームウェアコードなど、またはそれらの任意の組合せを備え得る。
【０１３７】
[00150]さらに、本明細書の開示に関して説明された様々な例示的な論理ブロック、構成要素、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、構成要素、回路、およびステップについて、上では概してそれらの機能に関して説明された。そのような機能をハードウェアとして実装するか、ソフトウェアとして実装するかは、具体的な適用例および全体的なシステムに課された設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示し、説明されたもの以外の方法で組み合わせられるかまたは実行され得ることを容易に認識されよう。
【０１３８】
[00151]本明細書の開示に関して説明された様々な例示的な論理ブロック、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装されることもある。
【０１３９】
[00152]本明細書の開示に関して説明した方法またはアルゴリズムのステップは、直接ハードウェアで実施されるか、プロセッサによって実行されるソフトウェア構成要素で実施されるか、またはその２つの組合せで実施され得る。ソフトウェア構成要素は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、および記憶媒体に情報を書き込むことができるように、プロセッサに結合される。代替的に、記憶媒体はプロセッサと一体化され得る。プロセッサおよび記憶媒体は、ＡＳＩＣ中に存在し得る。ＡＳＩＣは、ユーザ端末中に存在し得る。あるいは、プロセッサおよび記憶媒体は、ユーザ端末内のディスクリートな構成要素として存在し得る。
【０１４０】
[00153]１つまたは複数の例示的な設計では、説明した機能は、ハードウェア、ソフトウェア、ファームウェア、またはそれらの任意の組合せで実装され得る。ソフトウェアで実装される場合、機能は、コンピュータ可読媒体上に記憶されるか、またはコンピュータ可読媒体上の１つもしくは複数の命令もしくはコードとして上で送信され得る。コンピュータ可読媒体は、コンピュータプログラムのある場所から別の場所への転送を容易にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲に含まれるべきである。
【０１４１】
[00154]特許請求の範囲を含めて、本明細書で使用する場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいは任意のこれらの組合せにおけるこれらのうちのいずれかを意味するような選言的列挙を示す。
【０１４２】
[00155]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
ユーザ機器（ＵＥ）において事前許可割り当てを受信することと、
前記事前許可割り当てに基づいて２次コンポーネントキャリア（ＳＣＣ）上でクリアチャネルアセスメント（ＣＣＡ）動作を実行することと、
前記ＣＣＡ動作が成功したとき、前記事前許可割り当てに基づいて前記ＳＣＣ上でプリアンブルを送信することと、前記プリアンブルは前記ＵＥを一意に識別する、
前記プリアンブル送信に応答して許可認証を受信することとを備える、方法。
［Ｃ２］
前記許可認証が、
前記事前許可割り当ての許可認証、
前記事前許可割り当ての修正、または
送信を中断することの指示のうちの少なくとも１つを備える、Ｃ１に記載の方法。
［Ｃ３］
前記プリアンブルが、競合ベースのキャリア上で送信され、
前記事前許可割り当てが、前記ＳＣＣ内でターゲットサブフレームを備え、
前記ＵＥが、前記事前許可割り当て内で識別された前記ＳＣＣ内で前記プリアンブルを送信する、Ｃ１に記載の方法。
［Ｃ４］
前記プリアンブルが、前記事前許可割り当てを発行した基地局に対する前記ＵＥを識別するための初期部分と、帯域占有のための第２の部分とを備える、Ｃ１に記載の方法。
［Ｃ５］
前記プリアンブルの残りの部分が、ＷｉＦｉ（登録商標）プリアンブルを備える、Ｃ４に記載の方法。
［Ｃ６］
前記事前許可割り当てまたは前記許可認証のうちの少なくとも一方が、１次コンポーネントキャリア（ＰＣＣ）上で受信される、Ｃ１に記載の方法。
［Ｃ７］
ワイヤレス通信のための装置であって、
ユーザ機器（ＵＥ）において事前許可割り当てを受信するための手段と、
前記事前許可割り当てに基づいてクリアチャネルアセスメント（ＣＣＡ）動作を実行するための手段と、
前記ＣＣＡ動作が成功したとき、前記事前許可割り当てに基づいてプリアンブルを送信するための手段と、前記プリアンブルは前記ＵＥを一意に識別する、
前記プリアンブル送信に応答して許可認証を受信するための手段とを備える、装置。
［Ｃ８］
前記許可認証が、
前記事前許可割り当ての許可認証、
前記事前許可割り当ての修正、または
送信を中断することの指示のうちの少なくとも１つを備える、Ｃ７に記載の装置。
［Ｃ９］
前記事前許可割り当てが前記ＳＣＣ内でターゲットサブフレームを備え、前記プリアンブルを送信するための前記手段が、前記事前許可割り当て内で識別された前記ＳＣＣ内で前記プリアンブルを送信するように構成される、Ｃ７に記載の装置。
［Ｃ１０］
前記事前許可割り当てまたは前記許可認証のうちの少なくとも一方が、１次コンポーネントキャリア（ＰＣＣ）上で受信される、Ｃ７に記載の装置。
［Ｃ１１］
ワイヤレス通信のための装置であって、
メモリと、
前記メモリに結合された少なくとも１つのプロセッサとを備え、前記少なくとも１つのプロセッサが、
ユーザ機器（ＵＥ）において事前許可割り当てを受信することと、
前記事前許可割り当てに基づいてクリアチャネルアセスメント（ＣＣＡ）動作を実行することと、
前記ＣＣＡ動作が成功したとき、前記事前許可割り当てに基づいてプリアンブルを送信することと、前記プリアンブルは前記ＵＥを一意に識別する、
前記プリアンブル送信に応答して許可認証を受信することとを行うように構成される、装置。
［Ｃ１２］
前記許可認証が、
前記事前許可割り当ての許可認証、
前記事前許可割り当ての修正、または
送信を中断することの指示のうちの少なくとも１つを備える、Ｃ１１に記載の装置。
［Ｃ１３］
前記事前許可割り当てが、前記ＳＣＣ内でターゲットサブフレームを備え、
前記少なくとも１つのプロセッサが、前記事前許可割り当て内で識別された前記ＳＣＣ内で前記プリアンブルを送信するように構成される、Ｃ１１に記載の装置。
［Ｃ１４］
前記事前許可割り当てまたは前記許可認証のうちの少なくとも一方が、１次コンポーネントキャリア（ＰＣＣ）上で受信される、Ｃ１１に記載の装置。
［Ｃ１５］
ワイヤレス通信のためのコンピュータ実行可能コードを記憶するコンピュータ可読媒体であって、
ユーザ機器（ＵＥ）において事前許可割り当てを受信することと、
前記事前許可割り当てに基づいてクリアチャネルアセスメント（ＣＣＡ）動作を実行することと、
前記ＣＣＡ動作が成功したとき、前記事前許可割り当てに基づいてプリアンブルを送信することと、前記プリアンブルは前記ＵＥを一意に識別する、
前記プリアンブル送信に応答して許可認証を受信することとを行うためのコードを備える、コンピュータ可読媒体。
［Ｃ１６］
前記許可認証が、
前記事前許可割り当ての許可認証、
前記事前許可割り当ての修正、または
送信を中断することの指示のうちの少なくとも１つを備える、Ｃ１５に記載のコンピュータ可読媒体。
［Ｃ１７］
前記事前許可割り当てが前記ＳＣＣ内でターゲットサブフレームを備え、前記プリアンブルが前記事前許可割り当て内で識別された前記ＳＣＣ内で送信される、Ｃ１５に記載のコンピュータ可読媒体。
［Ｃ１８］
前記事前許可割り当てまたは前記許可認証のうちの少なくとも一方が、１次コンポーネントキャリア（ＰＣＣ）上で受信される、Ｃ１５に記載のコンピュータ可読媒体。
［Ｃ１９］
ワイヤレス通信の方法であって、
ユーザ機器（ＵＥ）のセットに１つまたは複数の事前許可割り当てを送信することと、前記セットは１つまたは複数のＵＥを含む、
前記１つまたは複数の事前許可割り当ての前記送信に応答して競合ベースのキャリア上で１つまたは複数のプリアンブル送信を検出することと、
前記検出された１つまたは複数のプリアンブル送信に応答して１つまたは複数の許可認証割り当てを送信することとを備える、方法。
［Ｃ２０］
前記１つまたは複数の事前許可割り当てを送信することが、前記同じリソースに対する割り当てを有する複数のＵＥに複数の事前許可割り当てを送信することを含み、
前記１つまたは複数のプリアンブル送信を検出することが、前記送信された事前許可割り当てに応答して複数のプリアンブル送信を検出することを含み、各プリアンブルが、前記ＵＥのうちの１つを一意に識別し、
プリアンブル送信が検出されたＵＥに対する前記事前許可割り当ての修正を決定することをさらに備える、Ｃ１９に記載の方法。
［Ｃ２１］
前記事前許可割り当ての前記修正を決定することが、
前記ＵＥが送信を継続すべきであることを示す許可認証を受信するために少なくとも１つのＵＥを決定することと、
送信を停止することの指示を受信すべきプリアンブルが受信された他のＵＥを決定することとを含む、Ｃ２０に記載の方法。
［Ｃ２２］
前記許可認証が、前記事前許可割り当ての修正を備える、Ｃ２１に記載の方法。
［Ｃ２３］
前記１つまたは複数の事前許可割り当てまたは前記１つまたは複数の許可認証割り当てのうちの少なくとも一方が、１次コンポーネントキャリア（ＰＣＣ）上で送信される、Ｃ１９に記載の方法。
［Ｃ２４］
ワイヤレス通信のための装置であって、
ユーザ機器（ＵＥ）のセットに１つまたは複数の事前許可割り当てを送信するための手段と、前記セットは１つまたは複数のＵＥを含む、
前記１つまたは複数の事前許可割り当ての前記送信に応答して競合ベースのキャリア上で１つまたは複数のプリアンブル送信を検出するための手段と、
前記検出された１つまたは複数のプリアンブル送信に応答して１つまたは複数の許可認証割り当てを送信するための手段とを備える、装置。
［Ｃ２５］
前記１つまたは複数の事前許可割り当てを送信するための前記手段が、前記同じリソースに対する割り当てを有する複数のＵＥに複数の事前許可割り当てを送信するように構成され、
前記１つまたは複数のプリアンブル送信を検出するための前記手段が、前記送信された事前許可割り当てに応答して複数のプリアンブル送信を検出するように構成され、各プリアンブルが前記ＵＥのうちの１つを一意に識別し、前記装置が、
プリアンブル送信が検出されるＵＥに対する前記事前許可割り当ての修正を決定するための手段をさらに備え、前記事前許可割り当ての修正を決定するための前記手段が、
前記ＵＥが送信を継続すべきであることを示す許可認証を受信するために少なくとも１つのＵＥを決定することと、
送信を停止することの指示を受信すべきプリアンブルが受信された他のＵＥを決定することとを行うように構成される、Ｃ２４に記載の装置。
［Ｃ２６］
前記１つまたは複数の事前許可割り当てまたは前記１つまたは複数の許可認証割り当てのうちの少なくとも一方が、１次コンポーネントキャリア（ＰＣＣ）上で送信される、Ｃ２４に記載の装置。
［Ｃ２７］
ワイヤレス通信のための装置であって、
メモリと、
前記メモリに結合された少なくとも１つのプロセッサとを備え、前記少なくとも１つのプロセッサが、
ユーザ機器（ＵＥ）のセットに１つまたは複数の事前許可割り当てを送信することと、前記セットは１つまたは複数のＵＥを含む、
前記１つまたは複数の事前許可割り当ての前記送信に応答して競合ベースのキャリア上で１つまたは複数のプリアンブル送信を検出することと、
前記検出された１つまたは複数のプリアンブル送信に応答して１つまたは複数の許可認証割り当てを送信することとを行うように構成される、装置。
［Ｃ２８］
前記少なくとも１つのプロセッサが、
前記同じリソースに対する割り当てを有する複数のＵＥに複数の事前許可割り当てを送信し、前記送信された事前許可割り当てに応答して複数のプリアンブル送信を検出することと、各プリアンブルは前記ＵＥのうちの１つを一意に識別する、
プリアンブル送信が検出されるＵＥに対する前記事前許可割り当ての修正を決定することとを行うようにさらに構成され、前記事前許可割り当ての修正を決定することが、
前記ＵＥが送信を継続すべきであることを示す許可認証を受信するために少なくとも１つのＵＥを決定することと、
送信を停止することの指示を受信すべきプリアンブルが受信された他のＵＥを決定することとを含む、Ｃ２７に記載の装置。
［Ｃ２９］
前記１つまたは複数の事前許可割り当てまたは前記１つまたは複数の許可認証割り当てのうちの少なくとも一方が、１次コンポーネントキャリア（ＰＣＣ）上で送信される、Ｃ２７に記載の装置。
［Ｃ３０］
コンピュータ実行可能コードを記憶するコンピュータ可読媒体であって、
ユーザ機器（ＵＥ）のセットに１つまたは複数の事前許可割り当てを送信することと、前記セットは１つまたは複数のＵＥを含む、
前記１つまたは複数の事前許可割り当ての前記送信に応答して競合ベースのキャリア上で１つまたは複数のプリアンブル送信を検出することと、
前記検出された１つまたは複数のプリアンブル送信に応答して１つまたは複数の許可認証割り当てを送信することとを行うためのコードを備える、コンピュータ可読媒体。
［Ｃ３１］
前記同じリソースに対する割り当てを有する複数のＵＥに複数の事前許可割り当てを送信することと、
前記送信された事前許可割り当てに応答して複数のプリアンブル送信を検出することと、各プリアンブルは前記ＵＥのうちの１つを一意に識別する、
プリアンブル送信が検出されるＵＥに対する前記事前許可割り当ての修正を決定することとを行うためのコードをさらに備え、前記事前許可割り当ての修正を決定することが、
前記ＵＥが送信を継続すべきであることを示す許可認証を受信するために少なくとも１つのＵＥを決定することと、
送信を停止することの指示を受信すべきプリアンブルが受信された他のＵＥを決定することとを含む、Ｃ３０に記載のコンピュータ可読媒体。
［Ｃ３２］
前記１つまたは複数の事前許可割り当てまたは前記１つまたは複数の許可認証割り当てのうちの少なくとも一方が、１次コンポーネントキャリア（ＰＣＣ）上で送信される、Ｃ３０に記載のコンピュータ可読媒体。
【図１】
0006779901.tif 000002
【図２Ａ】
0006779901.tif 000003
【図２Ｂ】
0006779901.tif 000004
【図３】
0006779901.tif 000005
【図４】
0006779901.tif 000006
【図５】
0006779901.tif 000007
【図６】
0006779901.tif 000008
【図７】
0006779901.tif 000009
【図８】
0006779901.tif 000010
【図９】
0006779901.tif 000011
【図１０】
0006779901.tif 000012
【図１１】
0006779901.tif 000013
【図１２】
0006779901.tif 000014
【図１３】
0006779901.tif 000015